(57)【要約】      （修正有）【課題】従来の何れの水平回動位置でも全閉可能シングルレバー式湯水混合栓には、使用者がシングルレバーの水平回動位置を無意識に操作し易い湯水混合位置の中央位置にし易く無意識に湯を浪費し易い欠点があり、シングルレバーの吐出量調節用の上下回動範囲が狭いため、僅かな上下回動で吐出量が大きく変化し易く湯水を浪費する欠点がある。節水モードでの使用を容易にし、湯水混合比の調節をし易く、無駄な湯を浪費しない省エネ型のシングルレバー式湯水混合栓を提供する。【解決手段】湯水混合栓を全閉可能なシングルレバー８の水平回動位置を限定することによって使用者に常に湯水混合比を意識させるとともに、全閉不可能な水平回動位置では下限吐出量を設定する。【選択図】図１−１
2015165165.tif 000002
【特許請求の範囲】
【請求項１】
湯水混合栓本体の内部に設けられた固定弁体の上面に重合配置され摺動可能な可動弁体を、シングルレバーの水平・上下回動によって水平回動・前後進させて、湯水混合比と吐出量とを調節する湯水混合栓であって；
水流入部、湯流入部、及び、吐出部が備えられた湯水混合栓本体と、
前記湯水混合栓本体の水流入部に連通する水流入弁口と湯流入部に連通する湯流入弁口とが備えられ、該湯水混合栓本体の内部に設けられた固定弁体と、
前記固定弁体の上面に摺動可能に重合配置され、水平回動されたときに前記の水流入弁口と湯流入弁口の開口面積比を変化させて湯水混合比を調節し、前後進されたときに該水流入弁口又は／及び該湯流入弁口の開口面積を変化させて吐出量の調節をする可動弁体と、
前記湯水混合栓本体に対し水平回動及び上下回動が可能に支持され、水平回動されたときに前記可動弁体を水平回動させるとともに上下回動されたときに該可動弁体を前後進させる作動体と、
前記作動体の上部に設けられ、該作動体を介して前記可動弁体を摺動させ、水平回動によって湯水混合比を調節し、上下回動によって吐出量の調節をするシングルレバーと、
を含み；
前記シングルレバーの閉方向側の側面、該シングルレバーによって上下回動する前記作動体の閉方向側の側面、又は、該作動体によって前後進する前記可動弁体の閉方向側の側面の何れかの側面に、該側面が対向する前記湯水混合栓本体の閉側対向部に当接する閉側当接部を備えるとともに；
前記湯水混合栓本体の閉側対向部に、
前記閉側当接部が当接したとき所定量の節水モード用下限吐出量を確保するための節水モード用閉側対向部と、
前記節水モード用閉側対向部より凹んでおり、前記可動弁体が前記固定弁体の水流入弁口及び湯流入弁口を閉鎖する全閉位置に摺動されることが可能な全閉可能閉側対向部と、
を備え、;
前記節水モード用閉側対向部が、前記閉側対向部の水又は湯水混合水が吐出可能な水平回動範囲の少なくとも一部に備えられていることを特徴とする湯水混合栓。
【請求項２】
前記節水モード用閉側対向部が、前記閉側当接部が当接したとき、前記可動弁体を前記固定弁体の所定量の節水モード用下限吐出量が吐出される位置に保持させることを特徴とする請求項１記載の湯水混合栓。
【請求項３】
前記節水モード用閉側対向部が、前記閉側当接部が当接したとき、前記作動体の上下回動角度を一定にすることによって節水モード用下限吐出量を確保させることを特徴とする請求項１又は２記載の湯水混合栓。
【請求項４】
前記全閉可能閉側対向部が、前記湯水混合栓本体の閉側対向部の水のみを吐出可能な水平回動範囲の一部又は全部に限定して備えられていることを特徴とする請求項１、２、又は、３記載の湯水混合栓。
【請求項５】
前記節水モード用閉側対向部が、前記湯水混合栓本体の閉側対向部の湯のみを吐出可能な水平回動範囲の全部に備えられていることを特徴とする請求項１、２、３、又は、４記載の湯水混合栓。
【請求項６】
前記節水モード用閉側対向部が、前記シングルレバー又は前記作動体の閉方向側の側面に備えられた閉側当接部に対向し、該節水モード用閉側対向部の一部又は全部が、閉側対向部用部材として、該湯水混合栓本体に上下動可能に又は水平回動可能に、設けられていることを特徴とする請求項１、２、３、４、又は、５記載の湯水混合栓。
【請求項７】
前記閉側当接部又は前記節水モード用閉側対向部の何れかが、弾性により進退動することを特徴とする請求項１、２、３、４、５、又は、６記載の湯水混合栓。
【請求項８】
前記シングルレバーの閉方向側の側面に設けられた閉側当接部の突出長、前記作動体の閉方向側の側面に設けられた閉側当接部の突出長、又は、前記湯水混合栓本体の節水モード用閉側対向部の突出長の何れかが、調節可能であることを特徴とする請求項１、２、３、４、５、６、又は、７記載の湯水混合栓。
【請求項９】
前記シングルレバーの開方向側の側面、前記作動体の開方向側の側面、又は、前記可動弁体の開方向側の側面の何れかの側面に、該側面が対向する前記湯水混合栓本体の開側対向部に当接する開側当接部が設けられ、該開側当接部が弾性により進退動することを特徴とする請求項１、２、３、４、５、６、７、又は、８記載の湯水混合栓。
【請求項１０】
前記シングルレバーの開方向側の側面又は前記作動体の開方向側の側面の何れか一方の側面に設けられた開側当接部の突出長が調節可能であることを特徴とする請求項１、２、３、４、５、６、７、８、又は、９記載の湯水混合栓。
【発明の詳細な説明】
【技術分野】
【０００１】
本発明は、シングルレバーの水平・上下回動によって湯水混合比と吐出量とを調節するシングルレバー式湯水混合栓に関する。
【背景技術】
【０００２】
シングルレバー式湯水混合栓は、湯水混合栓本体に設けられた固定弁体の上面に重合配置され摺動可能な可動弁体を、シングルレバーの水平・上下回動によって水平回動・前後進させて湯水混合比と吐出量とを調節する湯水混合栓であり、操作が容易であるため各種のシングルレバー式湯水混合栓が多用されている。
しかし、使用者がシングルレバーの水平回動位置を無意識に操作し易い中央位置近辺にする場合が多いため、使用開始時等に湯水混合位置である中央位置近辺で使用し、湯を無意識に浪費し易い欠点がある。また、吐出量を調節するための上下回動角度範囲が狭く、僅かの上下回動によって吐出量が大きく変化してしまうので、必要以上の吐出量で使用し易い欠点がある。
これ等の欠点に対しては、特許文献１、２に、固定弁体の水流入弁口・湯流入弁口と可動弁体の湯水調節弁口の形状を変更し、全閉時のシングルレバーが中央位置にあっても次の使用開始時には水が最初に吐出される構造が提案されているが、湯水混合比の調節角度範囲が従来の構造より小さくなるため湯水混合比を調節し難くなったり、弁口面積が小さくなるため十分な吐出量を確保し難くなったり、弁口の面積・配置の偏りによる可動弁体等への偏った押圧力が発生するため摺動摩耗の偏りによる漏水等の新たな欠点がある。
また、特許文献３、４に、シングルレバーの開方向の上下回動角度を制限することによって吐出量を一時的に所定の上限吐出量以下に抑える節水モード機能を付加する提案があるが、通常使用モードから節水モードへ切替するにも節水モードから通常使用モードへ切替するにも、何らかの切替操作が必要な欠点がある。
さらに、特許文献５、６に、シングルレバー基部、湯水混合栓本体等にガイド面を備えることによって、シングルレバーの全閉操作時にシングルレバーを水のみを吐出する水平回動位置で全閉となる様に誘導し、意識しなくとも次回使用時には必ず水のみを吐出する水平回動位置にある様にして、意図しない湯の使用を強制的に回避する提案があるが、湯のみを吐出する水平回動位置から水のみを吐出する水平回動位置までの間にシングルレバーを誘導するガイド面を備えるために、下記の欠点がある。
（１）ガイド面を備えることによって、各水平回動位置における下限吐出量が水のみを吐出する水平回動位置から湯のみを吐出する水平回動位置に向けて増加するので、湯混合比が増加するほど許容される吐出量の範囲が大容量側に制限される。このため、使用開始時に湯を浪費しない効果はあるものの、使用中は殆んどの水平回動位置（ 湯のみ及び湯水混合水を吐出する水平回動位置）で吐出量をガイド面で規制される吐出量以下の少量に抑えることが出来ない基本的な欠点がある。また、このために前記の節水モード機能を付加することも出来ない。
（２）全閉位置が水のみを吐出する水平回動位置に限定されており、浴槽用湯水混合栓等においては多用される湯水混合比の水平回動位置で全閉することが出来ず、水のみを吐出する水平回動位置に強制的に誘導されるため、短時間の繰り返し使用のときは多用される湯水混合比の水平回動位置に毎回再設定しなければならない煩雑さがある。
（３）湯のみ又は湯水混合水を吐出する水平回動位置で、シングルレバーを吐出量を絞る方向（閉方向）に操作したとき、シングルレバーの上下回動許容範囲が狭くガイド面に接触し易いため、湯混合比を低下させる方向（水のみを吐出する方向）にシングルレバーが水平回動し、湯水混合比が意図せずに変化するので、湯水混合比を再設定しなければならない煩雑さが発生する。
特許文献７〜１０に示す吐出口にシャワーヘッドが設けられるシャワー用湯水混合栓、蛇口用吐出口とシャワーヘッド用吐出口とを切り替える分岐弁付湯水混合栓、太陽熱温水器と給湯器とに連結して使用される太陽熱温水器併用湯水混合栓、浄水装置と連結して使用される浄水装置併用湯水混合栓等にも、その構成に対応する前記の欠点がある。
特許文献１１に、操作レバーが所定の第一高温位置よりも高温側に回動された状態で全閉操作を阻止する止水規制部材を混合栓本体上部に備えることによって、使用開始時に高温の湯水が不意に吐出されることを防止することが記載されているが、特許文献１、２、５、６に記載されている使用開始時に無意識に湯を浪費することを防止する機能も、特許文献３、４に記載されている必要以上の吐出量で使用することを防止する節水モードの機能も無く、安全性は向上するが省エネ・節水の機能が無い。
特許文献１２に、混合栓本体の上部外周面と操作レバーのキャップ下部との間に、操作レバーの開閉操作を、開操作の途中及び閉操作の途中でそれぞれ抑制する係合部材を設けることによって、全閉操作時のウオーターハンマー現象を防止したり、全開操作時の湯水飛散による汚染を防止したりすることが記載されているが、特許文献１１と同様に、使用開始時に無意識に湯を浪費することを防止する機能も、必要以上の吐出量で使用することを防止する節水モードの機能も無く、使い易さは向上するが省エネ・節水の機能が無い。
【先行技術文献】
【特許文献】
【０００３】
【特許文献１】特許 第3200540号公報      シングルレバー式湯水混合栓
【特許文献２】特開2012-132484号公報     シングルレバー水栓
【特許文献３】特開平11-124888号公報      シングルレバー水栓
【特許文献４】特開平11-152772号公報      シングルレバー水栓
【特許文献５】特開2013-7247号公報        シングルレバー混合水栓
【特許文献６】特開2014-156909号公報      湯水混合栓
【特許文献７】特許 第1999964号公報      シングルレバー式切換弁付デスク形混合栓
【特許文献８】特開2014-163414号公報      シングルレバー水栓
【特許文献９】特開2011-196017号公報      シングルレバー混合水栓
【特許文献１０】特開平7-98068号公報      多機能複合水栓
【特許文献１１】特許 第4883485号公報    湯水混合栓及びそれを備えた吐水装置
【特許文献１２】実用新案登録  第2545900号公報    シングルレバー式湯水混合水栓
【発明の概要】
【発明が解決しようとする課題】
【０００４】
本発明は、使用者に常に現在使用中の湯水混合比を意識させるとともに；
湯水混合比を調節するための水平回動範囲が広く調節容易であり、意図しない湯水混合比の変化が無く、切替操作無で通常使用モードと少吐出量の節水モードとが併用出来、弁口の面積・配置の偏りによる種々の不具合を無くすることによって；
湯水混合栓に供給される湯と水とを浪費しない省エネ型の操作し易い各種のシングルレバー式湯水混合栓を提供することを目的とする。
【課題を解決するための手段】
【０００５】
これらの課題を解決するために成した第一の発明は、
湯水混合栓本体の内部に設けられた固定弁体の上面に重合配置され摺動可能な可動弁体を、シングルレバーの水平・上下回動によって水平回動・前後進させて、湯水混合比と吐出量とを調節する湯水混合栓であって；
水流入部、湯流入部、及び、吐出部が備えられた湯水混合栓本体と、
前記湯水混合栓本体の水流入部に連通する水流入弁口と湯流入部に連通する湯流入弁口とが備えられ、該湯水混合栓本体の内部に設けられた固定弁体と、
前記固定弁体の上面に摺動可能に重合配置され、水平回動されたときに前記の水流入弁口と湯流入弁口の開口面積比を変化させて湯水混合比を調節し、前後進されたときに該水流入弁口又は／及び該湯流入弁口の開口面積を変化させて吐出量の調節をする可動弁体と、
前記湯水混合栓本体に対し水平回動及び上下回動が可能に支持され、水平回動されたときに前記可動弁体を水平回動させるとともに上下回動されたときに該可動弁体を前後進させる作動体と、
前記作動体の上部に設けられ、該作動体を介して前記可動弁体を摺動させ、水平回動によって湯水混合比を調節し、上下回動によって吐出量の調節をするシングルレバーと、
を含み；
前記シングルレバーの閉方向側の側面、該シングルレバーによって上下回動する前記作動体の閉方向側の側面、又は、該作動体によって前後進する前記可動弁体の閉方向側の側面の何れかの側面に、該側面が対向する前記湯水混合栓本体の閉側対向部に当接する閉側当接部を備えるとともに；
前記湯水混合栓本体の閉側対向部に、
前記閉側当接部が当接したとき所定量の節水モード用下限吐出量を確保するための節水モード用閉側対向部と、
前記節水モード用閉側対向部より凹んでおり、前記可動弁体が前記固定弁体の水流入弁口及び湯流入弁口を閉鎖する全閉位置に摺動されることが可能な全閉可能閉側対向部と、
を備え、;
前記節水モード用閉側対向部が、前記閉側対向部の水又は湯水混合水が吐出可能な水平回動範囲の少なくとも一部に備えられていることを特徴とする湯水混合栓である。
【０００６】
第二の発明は、
前記節水モード用閉側対向部が、前記閉側当接部が当接したとき、前記可動弁体を所定量の節水モード用下限吐出量が吐出される前記固定弁体の位置に保持させることを特徴とする。
【０００７】
第三の発明は、
前記節水モード用閉側対向部が、前記閉側当接部が当接したとき、前記作動体の上下回動角度を一定にすることによって節水モード用下限吐出量を確保させることを特徴とする。
【０００８】
第四の発明は、
前記全閉可能閉側対向部が、前記湯水混合栓本体の閉側対向部の水のみを吐出可能な水平回動範囲の一部又は全部に限定して備えられていることを特徴とする。
【０００９】
第五の発明は、
前記節水モード用閉側対向部が、前記湯水混合栓本体の閉側対向部の湯のみを吐出可能な水平回動範囲の全部に備えられていることを特徴とする。
【００１０】
第六の発明は、
前記節水モード用閉側対向部が、前記シングルレバー又は前記作動体の閉方向側の側面に備えられた閉側当接部に対向し、該節水モード用閉側対向部の一部又は全部が、閉側対向部用部材として、該湯水混合栓本体に上下動可能に又は水平回動可能に、設けられていることを特徴とする。
【００１１】
第七の発明は、
前記閉側当接部又は前記節水モード用閉側対向部の何れかが、弾性により進退動することを特徴とする。
【００１２】
第八の発明は、
前記シングルレバーの閉方向側の側面に設けられた閉側当接部の突出長、前記作動体の閉方向側の側面に設けられた閉側当接部の突出長、又は、前記湯水混合栓本体の節水モード用閉側対向部の突出長の何れかが、調節可能であることを特徴とする。
【００１３】
第九の発明は、
前記シングルレバーの開方向側の側面、前記作動体の開方向側の側面、又は、前記可動弁体の開方向側の側面の何れかの側面に、該側面が対向する前記湯水混合栓本体の開側対向部に当接する開側当接部が設けられ、該開側当接部が弾性により進退動することを特徴とする。
【００１４】
第十の発明は、
前記シングルレバーの開方向側の側面又は前記作動体の開方向側の側面の何れか一方の側面に設けられた開側当接部の突出長が調節可能であることを特徴とする。
【発明の効果】
【００１５】
請求項１〜６によれば、各々の閉側対向部による下記の効果がある。
（１）本発明の湯水混合栓は、全閉可能な水平回動位置が、予め設定された湯水混合比に対応する１箇所又は複数個所の全閉可能閉側対向部によって限定されている。従って、本発明の湯水混合栓を全閉するには、シングルレバーをこの湯水混合比の水平回動位置へ水平回動せざるを得ず、シングルレバーの全ての水平回動範囲で全閉可能な湯水混合栓や特許文献５、６の全閉操作時に無意識でも水のみを吐出する水平回動位置に誘導される湯水混合栓を使用する場合と異なり、使用中は現在の湯水混合比を常に意識するので、使用開始時だけでなく使用中にも無意識に湯を浪費することが無く、省エネが図れる。
（２）節水モード用閉側対向部によって、シングルレバーを閉方向に操作すれば、モード切替操作無に、簡単に有用な所定量の節水モード用下限吐出量を吐出出来るので、湯だけでなく水についても浪費しない。これによって、シングルレバー式湯水混合栓の欠点である少吐出量設定のし難さが解消される。また、モード切替操作無に、所定量の節水モード用下限吐出量が吐出可能な節水モードと節水モード用下限吐出量より大流量が吐出可能な通常使用モードとを併用出来、湯水混合栓の操作が簡便になる。
（３）全閉可能な水平回動位置が限定されていることにより意識的な全閉操作となるので、無意識のレバー操作不十分による漏水放置の恐れが無く、湯水を浪費しない。これによって、夜間電力使用の貯湯タンク等の湯・温水を浪費する恐れも無くなる。
（４）節水モード用閉側対向部が備えられている水平回動範囲では、急激な全閉操作によるウオーターハンマー現象が発生しない。
【００１６】
（５）全閉可能閉側対向部が水のみを吐出する水平回動範囲の全部に限定して備えられれば、全閉操作は水のみを吐出する水平回動範囲に限定されるため、使用開始時に湯を無意識に浪費することを強制的に排除出来る。
全閉可能閉側対向部が水のみを吐出する水平回動範囲の一部に限定して備えられれば、全閉可能閉側対向部による使用開始時に湯を無意識に浪費することを強制的に排除する効果に加え、水のみを吐出する水平回動範囲に節水モード用閉側対向部が備えられていることによって使用中についても水のみの所定量の節水モード用下限吐出量による節水と湯の浪費の防止とが出来る。
湯のみを吐出する水平回動範囲の全部に節水モード用閉側対向部が備えられれば、この水平回動範囲では全閉不可能となり、使用開始時に不意に熱湯が吐出されることによる火傷の危険が無い。
（６）シングルレバーの閉方向操作によって閉側当接部が閉側対向部に当接したとき、特許文献５〜６に記載するガイド面の場合と異なり、固定弁体に対する可動弁体の位置や作動体の上下回動角度が変化せず保持されるので、意図しない湯水混合比の変化が無く、湯水混合比を再設定する煩雑さから解放される。
また、ガイド面が無く吐出量の範囲が大容量側に制限されないので、節水モード用閉側対向部が備えられている水平回動範囲でも、実用上必要な範囲の吐出量を吐出出来る。
（７）節水モード用閉側対向部が備えられた閉側対向部用部材が、湯水混合栓本体の閉側対向部の一部又は全部に上下動可能に装着されれば、節水モード用下限吐出量の変更が簡単に出来、水平回動可能に装着されれば全閉可能な水平回動位置の変更 (湯水混合比の変更）が簡単に出来る。
【００１７】
（８）固定弁体の水流入弁口・湯流入弁口、可動弁体の湯水調節弁口等の形状・配置に制約が少ないので、弁口面積が確保し易くなり、十分な流量が得られる。
（９）固定弁体・可動弁体の弁口の配置による制約が少なく、シングルレバーの湯水混合比調節の水平回動範囲を、充分確保出来るので、湯水混合比が調節し易い。
（１０）固定弁体の水流入弁口と湯流入弁口の開口面積・位置についてバランスをとることが出来るので、可動弁体に閉止状態で偏った押圧力が作用せず、摺動摩耗不均一による摺動部水密不良や、水密パッキンの漏水等の不具合が発生しない。
【００１８】
請求項７によれば、弾性によって進退動する閉側当接部又は節水モード用閉側対向部による下記の効果がある。
（１）節水モード用閉側対向部が設けられ節水モード用下限吐出量が設定されている水平回動位置であっても、シングルレバーを全閉可能な上下回動位置に手で保持することが出来るので、保持中は全閉出来る。
（２）保持後に手を放せば、同じ湯水混合比で節水モード用下限吐出量を自動的に吐出するので、濯ぎ洗い等の場合の少吐出量の設定が不要で、節水モード用下限吐出量による少吐出量での濯ぎ洗い等が出来る。
【００１９】
請求項８によれば、閉側当接部又は節水モード用閉側対向部の突出長の調節によって、節水モード用下限吐出量を所望の吐出量に簡単に調節出来る。これにより、閉側当接部の当接状態において突出長を調節するか、又は、閉側当接部の突出長が調節されたシングルレバーを閉方向に操作すれば、所望吐出量が吐出されるので、シングルレバー式湯水混合栓の最大の欠点である少吐出量の調節のし難さを大幅に改善出来る。
また、突出長を調節又は切り替えて節水モード用下限吐出量を一時的にゼロにすれば、シングルレバーを手で保持しなくても湯水混合比を変えることなく、任意の水平回動位置で全閉・吐出を頻繁に繰り返すことも出来る。
【００２０】
請求項９によれば、弾性によって進退動する開側当接部によって、モード切替操作無で全開時の最大吐出量よりも少量の上限吐出量での使用も簡単に出来る。これにより、下限吐出量、下限吐出量と上限吐出量との間の適量範囲、上限吐出量での使い分けが簡単に出来る。また、手で保持すれば、一時的であるが全開操作も出来る。
【００２１】
請求項１０によれば、開側当接部の突出長の調節によって、上限吐出量の調節が簡単に出来、上限吐出量と下限吐出量とで設定された狭い適量範囲にも対応出来るので、所望吐出量の繰り返し使用がし易い。
【００２２】
請求項１〜１０によれば、前記の効果のある下記の湯水混合栓も、実現出来る。
（１）  メイン給湯器と太陽熱温水器を切換えて使用出来る太陽熱温水器併用型湯水混合栓
（２）  水道水系統と水道水対応浄水装置を切換えて使用出来る浄水装置併用型湯水混合栓
（３）  水道水系統と飲料用容器を切換えて使用出来る飲料用容器併用型湯水混合栓
（４）  蛇口とシャワーヘッドを切換えて使用出来る分岐弁付湯水混合栓
（５）  中温対応浄水装置が使用可能な浄水装置併用型湯水混合栓
【００２３】
なお、本発明の用語の意味は、下記の通りである。
（１）水平回動とは湯水混合栓本体の中心軸を軸心とする回動を、上下回動とは湯水混合栓本体の中心軸と直交する軸を軸心とする回動を意味し、上部・下部とは湯水混合栓本体の中心軸を垂直に設置したときの上下関係を意味する。
（２）水を吐出する水平回動範囲とは、
シングルレバー、作動体、又は、可動弁体においては、可動弁体がその後進時に弁体の水流入弁口のみを開口させる位置を採りうる水平回動範囲を意味し、
湯水混合栓本体の閉側対向部においては、シングルレバー、作動体、又は、可動弁体が水を吐出する水平回動範囲にあるときに、その閉方向側の側面の当接部が対向する水平回動範囲を意味する。
（３）湯水混合水を吐出する水平回動範囲とは、
シングルレバー、作動体、又は、可動弁体においては、可動弁体がその後進時に固定弁体の水流入弁口と湯流入弁口とを同時に開口させる位置を採りうる水平回動範囲を意味し、
湯水混合栓本体の閉側対向部においては、シングルレバー、作動体、又は、可動弁体が湯水混合水を吐出する水平回動範囲にあるときに、その閉方向側の側面の当接部が対向する水平回動範囲を意味する。
（４）湯を吐出する水平回動範囲とは、
シングルレバー、作動体、又は、可動弁体においては、可動弁体がその後進時に固定弁体の湯流入弁口のみを開口させる位置を採りうる水平回動範囲を意味し、
湯水混合栓本体の閉側対向部においては、シングルレバー、作動体、又は、可動弁体が湯を吐出する水平回動範囲にあるときに、その閉方向側の側面の当接部が対向する水平回動範囲を意味する。
（５）湯水混合水とは、給水系統から湯水混合栓に給水される水と給湯系統から湯水混合栓に給湯される湯とを混合した混合水を意味する。
（６）所定量の節水モード用下限吐出量とは、湯水混合栓の使用者が水、湯水混合水、又は、湯の吐出状態を視認可能であり、濯ぎ洗い等の少量使用に有用な略同一の下限流量を意味する。
（７）節水モードとは、シングルレバーの開方向の操作を制限する従来の上限吐出量制限方式ではなく、シングルレバーの閉方向の操作を制限する下限吐出量制限方式を意味する。
【図面の簡単な説明】
【００２４】
【図１−１】実施例１の説明図――水平回動位置H１での全閉状態の垂直断面図
【図１−２】実施例１の説明図――水平回動位置H４での垂直断面図
【図１−３】実施例１の説明図――図１−１のA−A’ 垂直断面図
【図２−１】実施例１〜３の説明図――図１−１のB−B’ 水平断面図（水平回動位置H１で全閉状態の弁体位置関係図 ）
【図２−２】実施例１〜３の説明図――水平回動位置H１で全開状態の弁体位置関係図
【図３−１】実施例１〜３の説明図――水平回動位置H２で全閉状態の弁体位置関係図
【図３−２】実施例１〜３の説明図――水平回動位置H２で全開状態の弁体位置関係図
【図４−１】実施例１〜３の説明図――水平回動位置H４で節水状態の弁体位置関係図
【図４−２】実施例１〜３の説明図――水平回動位置H２で節水状態の弁体位置関係図
【図５−１】実施例２の説明図――水平回動位置H１で全閉状態の垂直断面図
【図５−２】実施例２の説明図――水平回動位置H４で節水状態の垂直断面図
【図６】実施例３の説明図――水平回動位置H１で全閉状態の垂直断面図
【図７】実施例４の説明図――水平回動位置H２で節水状態の垂直部分断面図
【図８−１】実施例４の説明図――水平回動位置H１で全閉状態の弁体位置関係図
【図８−２】実施例４の説明図――水平回動位置H２で節水状態の弁体位置関係図
【図９】実施例５の説明図――水平回動位置H２で節水状態の垂直部分断面図
【図１０−１】実施例５の説明図――水平回動位置H１で全閉状態の弁体位置関係図
【図１０−２】実施例５の説明図――水平回動位置H１で全開状態の弁体位置関係図
【図１１−１】実施例５の説明図――水平回動位置H４で節水状態の弁体位置関係図
【図１１−２】実施例５の説明図――水平回動位置H２で節水状態の弁体位置関係図
【図１１−３】実施例５の説明図――水平回動位置H３で節水状態の弁体位置関係図
【図１２】実施例６の説明図――水平回動位置H２で節水状態の垂直部分断面図
【図１３−１】実施例６の説明図――水平回動位置H１で全閉状態の弁体位置関係図
【図１３−２】実施例６の説明図――水平回動位置H２で節水状態の弁体位置関係図
【図１４】実施例６の説明図――可動弁体に円弧状切欠部を備えた説明図（水平回動位置H１で全閉状態の弁体位置関係図）
【図１５】実施例７の説明図――各流路の概略説明図
【図１６−１】実施例７の説明図――水平回動位置H１で全閉状態の弁体位置関係図
【図１６−２】実施例７の説明図――水平回動位置H１で全開状態の弁体位置関係図
【図１７−１】実施例７の説明図――水平回動位置HR１で全閉状態の弁体位置関係図
【図１７−２】実施例７の説明図――水平回動位置HR１で全開状態の弁体位置関係図
【図１８】実施例８の説明図――各流路の概略説明図
【図１９−１】実施例８の説明図――水平回動位置H１で全閉状態の弁体位置関係図
【図１９−２】実施例８の説明図――水平回動位置H１で全開状態の弁体位置関係図
【図２０−１】実施例８の説明図――水平回動位置HR１で節水状態の弁体位置関係図
【図２０−２】実施例８の説明図――水平回動位置HR１で全開状態の弁体位置関係図
【発明を実施するための形態】
【実施例１】
【００２５】
本実施例は、図１−１〜３、図２−１〜２、図３−１〜２、及び、図４−１〜２に示す様に、弾性によって進退動する閉側当接部として作動体の閉方向側の側面にボールプランジャーを設けた垂直取付型の節水モード付シングルレバー式湯水混合栓である。
本湯水混合栓のシングルレバーの湯水混合比調節の水平回動範囲は、図２−１に示す様に最右端の水のみを吐出する水平回動位置H１〜最左端の湯のみを吐出する水平回動位置H３の範囲の左右各６０度計１２０度であり、その内、節水モードの水平回動範囲は、図４−１に示す様にモード切替の水平回動位置H４〜水平回動位置H３の範囲の左６０度右５０度計１１０度である。
【００２６】
また、シングルレバーが回動しても動かない固定部である湯水混合栓本体は、湯水混合栓本体ケース１と、湯水混合栓本体ケース１に螺合装着されるカートリッジホルダー２と、カートリッジホルダー２で湯水混合栓本体ケース１に固定されるカートリッジケース３と、カートリッジケース３の内部に設けられた下部球面軸受４とで構成されている。
本実施例のシングルレバー式湯水混合栓は、前記の湯水混合栓本体以外の主要な構成部品として、カートリッジケース３と下部球面軸受４とで支持されて水平・上下回動する作動体６と、作動体６の閉方向側の側面に装着されたボールプランジャー７と、作動体６の上部に固定されたシングルレバー８と、作動体６によって水平回動・前後進される可動弁体９と、可動弁体９の上面に方形溝によって係合装着され上面が下部球面軸受４の下面と摺動する連結フランジ１０と、カートリッジケース３の内部に固定され上面を可動弁体９が摺動する固定弁体１１と、カートリッジケース３と下部球面軸受４と作動体６との球面軸受部を水密する球面軸受パッキン５と、固定弁体１１と湯水混合栓本体ケース１との間を水密するとともに給水経路及び給湯経路を連通させる水密連通パッキン１２と、カートリッジケース３と湯水混合栓本体ケース１との間を水密するOリング１３とが、設けられている。
【００２７】
本実施例のシングルレバー式湯水混合栓は、補修部品交換を容易にするため、内部部品がカートリッジによってユニット交換可能にされており、前記の主要部品の内、カートリッジケース３と、下部球面軸受４と、球面軸受パッキン５と、作動体６と、ボールプランジャー７と、可動弁体９と、連結フランジ１０と、固定弁体１１と、水密連通パッキン１２と、Oリング１３とは、付属部品とともに交換用カートリッジとしてユニット化されており、組立済のメンテナンス用ユニットとして別売することが出来る。
【００２８】
以下に、前記の主要構成部品とこれに付属する部品について記載する。
湯水混合栓本体ケース１は、湯水混合栓本体の一部であり、洗面台等の取付箇所に底面で垂直取付される。湯水混合栓本体ケース１には、底面側に水流入部１aと湯流入部１bとが、側面に吐出口である吐出部１cが、内側にカートリッジホルダー２が螺合装着されるネジ部１dと水・湯水混合水・湯が吐出部１cへ流入出来るリング状凹部１eとが備えられている。
カートリッジホルダー２は、交換用カートリッジを湯水混合栓本体ケース１に一括装着するための部品であり、螺合装着用のネジ部２aが備えられている。
カートリッジケース３は、交換用カートリッジのケース部であり、上部立上部３aと下部筒状部３bとで構成される。
上部立上部３aには、円錐状テーパー部３cと、半球状凹部３dと、円弧状切欠部３eと、上部球面軸受部３iと、パッキン装着部３jと、Ｏリング装着部３kとが備えられている。
円錐状テーパー部３cは、上部立上部３aの内側面上部に備えられ、作動体６の閉方向側の側面( 閉操作時に前進面となる側面)６e が対向する範囲は閉側対向部となり、開方向側の側面( 開操作時に前進面となる側面)６fが対向する範囲は開側対向部となる。閉側対向部の内、突出状態のボールプランジャー７の鋼球７aが当接する部位は、突出状態の鋼球７aが当接したとき作動体６の上下回動角度を一定に保持することによって所定量の節水モード用下限吐出量を確保させる節水モード用閉側対向部となる。
ただし、作動体６の上下回動角度が一定でも、可動弁体９の湯水調節切欠弁口９bが水流入弁口１aと湯流入弁口１bとの間を跨いで水平回動されるときは、弁口の開口面積の変化は不可避となるので、水平回動範囲に亘って吐出量を厳密に一定にすることは出来ない。
また、シングルレバー８の全閉操作によって、鋼球７aがボールプランジャー７のケース内に強制的に押し込まれた場合は、一時的に全閉出来る。
半球状凹部３dは、ボールプランジャー７の鋼球７aが陥入する全閉可能閉側対向部であり、上部筒状部３aの内側面上部の水平回動位置H１に備えられている( 即ち、形状的には、円錐状テーパー部３cの水平回動位置H１の位置に備えられる) 。従って、水平回動位置H１では、ボールプランジャー７の反力によるシングルレバー８の開方向への回動は無く、全閉位置を保持する。
円弧状切欠部３eは、作動体６のストッパー部６dとによって作動体６の水平回動範囲を制限するための切欠部であり、上部立上部３aの上端部に備えられている。
上部球面軸受部３iは、作動体６の球面軸部６bを支持する球面軸受の上部である。
パッキン装着部３jは、球面軸受パッキン5の装着部である。
Ｏリング装着部３kは、Ｏリング１３の装着部である。
下部筒状部３bには、水・湯水混合水・湯が湯水混合栓本体ケース１のリング状凹部１eに流入出来る側面開口部３fが備えられている。
下部球面軸受４は、カートリッジケース３の内部に装着され、球面軸受部４aとカートリッジケース３の上部球面軸受部３iとで作動体６の球面軸部６bを水平・上下回動可能に支持する。また、下面の摺動面４bは、連結フランジ１０の上面を押圧摺動する。
【００２９】
作動体６は、中央部に水平・上下回動用の球面軸部６bを備えた略厚板状の可動弁体９を水平回動・前後進させる部材であり、カートリッジケース３の上部球面軸受部３iと下部球面軸受４とで構成される球面軸受に水平・上下回動可能に装着されている。
作動体６には、上部に方形頭部６aが、中央に球面軸部６bが、下部に突起部６cが、開方向側側面６fにはストッパー部６dが備えられている。方形頭部６aには、シングルレバー８が固定される。球面軸部６bは、水平・上下回動軸である。突起部６cは、連結フランジ１０を介して可動弁体９を水平回動・前後進させることが出来る連結部で、先端断面が半円状の突起部である。ストッパー部６dは、カートリッジケース３の円弧状切欠部３eの側面に当接することによって、作動体６の水平回動範囲を制限する凸部である。
また、作動体６の閉方向側側面６eには、ボールプランジャー７が圧入されている。
ボールプランジャー７は、弾性により進退動する閉側当接部であり、節水モード用閉側対向部であるカートリッジケース３の円錐状テーパー部３cに、鋼球７a が当接するプレスセットタイプのボールプランジャーである。
ボールプランジャー７の鋼球７aが、カートリッジケース３の円錐状テーパー部３cに当接すれば、ボールプランジャー７の反力により作動体６を開方向に回動させる。ボールプランジャー７のストロークは、ボールプランジャー７のケース前端面がカートリッジケース３の円錐状テーパー部３cに当接する迄に、湯水混合栓が全閉可能なストロークとする。
ボールプランジャー７には、球体の滑動と進退により、当接状態でもシングルレバーを水平回動し易い効果がある。
シングルレバー８は、湯水混合栓の手動操作部であり、操作レバー部８aと湯水混合栓本体ケース１を覆うカバー部８bとで構成される。カバー部８bには、作動体６の方形頭部６aが固定用ネジによって係合固定される方形凹部８cが備えられている。
【００３０】
可動弁体９は、湯水混合比と吐出量とを調節するセラミック製の円盤状部材であり、連結フランジ１０と一体で、固定弁体１１と下部球面軸受４とに挟持された状態で摺動する。可動弁体９には、連結用凹部９aと湯水調節切欠弁口９bとが備えられている。
連結用凹部９aは、中央に備えられた半円筒状底面の方形凹部であり、連結フランジ１０が装着された後に作動体６の突起部６cが挿入され、作動体６との連結部になる。
湯水調節切欠弁口９bは、閉操作時に前進面となる閉方向側の側面９cの下部に備えられた円弧状の切欠き部であり、可動弁体９が水平回動・前後進したときに、固定弁体１１の水流入弁口１１aと湯流入弁口１１bとの連通開口面積を変化させて湯水混合比と吐出量とを調節する。水・湯水混合水・湯は、湯水調節切欠弁口９bからカートリッジケース３の側面開口部３fを経由して湯水混合栓本体ケース１のリング状凹部１eに流入する。
連結フランジ１０は、可動弁体９と一体的に摺動する作動体６の突起部６cとの連結用部材であり、フランジ部１０aと方形筒状部１０bとを備える。
フランジ部１０aは、可動弁体９の上面に配置され、その上面は下部球面軸受４の下面の摺動面4b との押圧摺動面となる。
方形筒状部１０bは、可動弁体９の連結用凹部９aに係合装着され、内側に作動体６の突起部６cが挿入される。従って、作動体６の上下回動側に対向する内側面は、可動弁体９を前後進させる側面となり、作動体６の水平回動側に対向する内側面は、可動弁体９を水平回動させる側面となる。
固定弁体１１は、上面を可動弁体９が摺動するセラミック製の円盤状部材であり、円弧状の水流入弁口１１aと湯流入弁口１１bとが備えられている。水平回動位置H１で全開状態の弁体位置関係を示す図２−２に示す様に、水流入弁口１１aには、全開状態でも水が流出しない開口部分があるが、この開口部分は、全閉状態で可動弁体９に不均等な押圧力が加えられるのを極力避けるために備えられている。湯流入弁口１１bも同様である。
水密連通パッキン１２は、固定弁体１１と湯水混合栓本体ケース１との間を水密するパッキンであり、水流入口１２aと湯流入口１２bとが備えられている。水流入口１２aは、湯水混合栓本体ケース１の水流入部１aと固定弁体１１の水流入弁口１１aを接続し、湯流入口１２bは、湯水混合栓本体ケース１の湯流入部１bと固定弁体１１の湯流入弁口１１bを接続している。
【００３１】
なお、本実施例の湯水混合栓の構成の説明において、製作又はメンテナンスの際の組立を容易・確実に行うために必要なマーキングや部品形状の変更等は、説明の簡明化のために記載されていない。
【００３２】
以下に、本湯水混合栓の使用方法について記載する。
（１）使用開始前の全閉状態
図２−１に示す様に、シングルレバー８の水平回動位置は、可動弁体９が前後進したときに水のみを吐出する最右端の水平回動位置H１である。
また、図１−１に示す様に、上下回動位置は、全閉位置となる下端位置である。この状態では、ボールプランジャー７の鋼球７a はカートリッジケース３の半球状凹部３dに陥入しているので、ボールプランジャー７の反力が作用せず、全閉操作後に手を放してもシングルレバー８が上方に回動されず、全閉状態を保持する。このとき、可動弁体９は、図２−１に示す様に、固定弁体１１の水流入弁口１１aと湯流入弁口１１bとを閉鎖している。
（２）水のみの吐出操作
( 1 ) 項に示す全閉状態から、シングルレバー８の水平回動操作をせず上方向に回動操作をすれば、図２−２に示す様に、可動弁体９の湯水調節切欠弁口９bは固定弁体１１の湯流入弁口１１bと連通せずに水流入弁口１１aと連通し全開状態となる。従って、水平回動位置H１での上下回動操作は、水のみの吐出量調節となり、無意識に湯を浪費することが無い。図２−２は、水平回動位置H１での全開状態の可動弁体９と固定弁体１１の位置関係を示す。
（３）節水モード操作
( 1 ) 項に示す全閉状態から、シングルレバー８を上下回動操作せず時計方向に水平回動操作をすれば、図１−２に示す様にボールプランジャー７の鋼球７aが半球状凹部３dを離脱し円錐状テーパー部３cに当接するので、ボールプランジャー７の反力によりシングルレバー８は上方に回動され、所定量の節水モード用下限吐出量の水・湯水混合水・湯が吐出される。
この鋼球７aが半球状凹部３dを離脱しモード切替となる水平回動位置を、図４−１に示す水平回動位置H４とすれば、水平回動位置H４よりも時計方向側では、節水モードが可能となる。本実施例では、半球状凹部３dが水のみを吐出する水平回動範囲の一部のみに備えられているので、水のみを吐出する他の水平回動範囲では節水モードが可能である。
即ち、図１−２に示す様に、節水モード用閉側対向部であるカートリッジケース３の円錐状テーパー部３cと弾性によって進退動する閉側当接部の当接部位であるボールプランジャー７の突出状態の鋼球７aとが当接することによって、作動体６の上下回動角度が一定に保持され、図４−１〜２に示す様に、可動弁体９の湯水調節切欠弁口９bが固定弁体１１の水流入弁口１１a又は／及び湯流入弁口１１bとわずかに連通し、所定量の略同一の節水モード用下限吐出量を吐出する可動弁体９の位置が保持される。
また、節水モードが可能な水平回動範囲では、シングルレバー８を下方に回動し下端位置で保持すれば全閉出来、手を放して保持を解除すればボールプランジャー７の反力により節水モードに復帰し、所定量の節水モード用下限吐出量の水・湯水混合水・湯が自動的に吐出される。節水モード用下限吐出量よりも大流量を必要とするときは、シングルレバー８を上方に回動して流量を調節する。
図４−１は、水平回動位置H４において、水のみが吐出される場合の節水モードの可動弁体９と固定弁体１１の位置関係を示す。
図４−２は、湯水混合比が等比の水平回動位置H２における節水モードの可動弁体９と固定弁体１１の位置関係を示す。
（４）湯水混合比・吐出量の調節
従来のシングルレバー式湯水混合栓と同様にシングルレバー８の水平回動で湯水混合比を、上下回動で吐出量を調節する。
図３−１は、湯水混合比が等比の水平回動位置H２における全閉状態の可動弁体９と固定弁体１１の位置関係を示す。この状態は、シングルレバー８が下方に回動され下端位置で保持された状態であり、手を放して保持を解除すれば、図４−２に示す節水モードの状態になる。
図３−２は、水平回動位置H２における全開状態の可動弁体９と固定弁体１１の位置関係を示す。この状態では、シングルレバー８の上下回動位置は全開位置である上方端にあり、ボールプランジャー７の鋼球７aがカートリッジケース３の円錐状テーパー部３cから離れているので、ボールプランジャー７の反力は働かない。
（５）使用後の全閉操作
湯水混合栓を全閉状態で保持するためには、シングルレバー８の水平・上下回動位置を( 1 ) 項に示す状態に戻す意識的な操作が必要である。
【００３３】
本実施例の変形例を、下記に記載する。
（１）業務用湯水混合栓や浴槽用湯水混合栓において、半球状凹部３dと同形状の半球状凹部を、全閉可能閉側対向部としてカートリッジケース３の円錐状テーパー部３cの閉側対向部の多用される湯水混合比の位置に追加して設ければ、この湯水混合比での全閉が出来るので、水平回動位置H１に戻す必要が無く、レバー操作が簡単になる。
（２）円錐状テーパー部３cの閉側対向部となる範囲に、ボールプランジャー７の鋼球７aによるクリック感を発生させるための凸部又は凹部を適宜に設ければ、湯水混合比の目安を付け易くすることも出来る。
（３）円錐状テーパー部３cの閉側対向部となる範囲の湯のみや高温の湯水混合水を吐出する水平回動位置と中温の湯水混合水を吐出する水平回動位置との境界に、シングルレバーを意識的に操作しなければ湯のみや高温の湯水混合水を吐出する水平回動位置側に乗り越せない高温警報用凸部を備えれば、使用者に湯のみ又は高温の混合水を吐出する水平回動位置をより明確に意識させるので、使用中に熱湯や高温の混合水を不意に吐出させる様な危険を回避出来る。
（４）弾性によって進退動する閉側当接部として、ボールプランジャー７に替えて、ローラープランジャーとしても良く、可動側端部に半球状凸部が成型されボールプランジャー７のストローク以上の撓み量を持つ板バネを、作動体６の閉方向側の側面６eに設けても良い。
（５）弾性によって進退動しない閉側当接部として、ボールプランジャー７に替えて、ボールローラー、ローラー、又は単なる半球状凸部等に替えても良いが、この場合は半球状凹部３dが設けられた水平回動位置H１でのみ全閉可能となる。
【００３４】
なお、本実施例は、カートリッジケース３の円弧状切欠部３eの切欠範囲を変更して水平回動位置H１より反時計方向に水平回動可能とし、拡大された水平回動範囲の円錐状テーパー部３cを反時計方向に段階的に変化させ、水平回動位置H１より反時計方向に水平回動したときに節水モード用下限吐出量を段階的に増加させて調節可能とすることを排除するものでは無い。
ただし、この範囲の円錐状テーパー部は、ボールプランジャー７の鋼球７aに対して水平回動方向の分力が発生しないテーパー面とする。
【００３５】
前掲の特許文献１１の止水規制部材と本発明の節水モード用閉側対向部とは、下記の点で異なる。
（１）止水規制部材の機能が高温側での全閉操作の阻止のみであるのに対し、節水モード用閉側対向部の機能は、水又は湯水混合水が吐出される範囲の少なくとも一部で有用な所定量の節水モード用下限吐出量を吐出する機能である。
（２）止水規制部材の上下回動を規制する設定範囲は、全閉を阻止する位置より単に開方向であれば良く広範囲であるのに対し、節水モード用閉側対向部の上下回動を規制する設定範囲には、有用な所定量の節水モード用下限吐出量を吐出する条件があり設定範囲が限定されている。
（３）止水規制部材の設けられる水平回動範囲が高温側に限定されているに対し、節水モード用閉側対向部は、水又は湯水混合水が吐出される水平回動範囲の一部を含む広範囲に備えられるので、備えられる水平回動範囲が異なる。
本実施例においては、節水モード用閉側対向部を、水のみを吐出する水平回動位置H４、水平回動位置H４〜水平回動位置H２の間の水又は低・中温の湯水混合水を吐出する水平回動範囲、水平回動位置H２〜水平回動位置H３の間の中・高温の湯水混合水又は湯を吐出する水平回動範囲、及び、湯のみを吐出する水平回動位置H３に、備えている。
（４）止水規制部材が設けられる箇所が混合栓本体上部に限定されているのに対し、節水モード用閉側対向部は、実施例１〜３に示す混合栓本体上部だけでなく実施例４、５、６に示す様に、混合栓本体内部にも設けることが出来る。
（５）止水規制部材には、高温の湯水の不意の吐出を防止する効果以外には、節水モード用閉側対向部を備えることによる使用開始時に湯を無意識に浪費することを防止する等の効果が無い。
【００３６】
前掲の特許文献１２の係合部材と本発明の節水モード用閉側対向部とは、下記の点で異なる。
（１）係合部材の機能はシングルレバーの開閉操作を途中で抑制するのみで全閉操作の阻止が不可能であるのに対して、節水モード用閉側対向部は全閉操作を阻止するとともに節水モード用下限吐出量を吐出させる機能を持つ。
（２）係合部材は、シングルレバーの全閉状態での放置が可能であるのに対して、節水モード用閉側対向部は、弾性によって進退動する閉側当接部を設けてもシングルレバーの全閉状態での放置は不可能である。
（３）係合部材は水平回動範囲に亘って備えられているのに対して、節水モード用閉側対向部は水平回動範囲の全部には備えられていない。
（４）係合部材には、ウオーターハンマー現象防止と湯水飛散防止の効果以外には、節水モード用閉側対向部を備えることによる使用開始時に湯を無意識に浪費することを防止する等の効果が無い。
【実施例２】
【００３７】
本実施例は、
弾性によって進退動し突出長が調節可能な閉側当接部として、シングルレバーの閉方向側の側面に、アジャストボルトに装着されたボールプランジャーを設け、
閉側対向部を、湯水混合栓本体の上部に設けられたキャップの上面に備えられた円錐状テーパー部の前記ボールプランジャーが対向する範囲とし、
上下動又は水平回動可能な閉側対向部用部材として、前記キャップを、上下動及び水平回動可能に装着し、
節水モード用閉側対向部を、前記閉側対向部の前記ボールプランジャーの鋼球が当接する範囲とし、
全閉可能閉側対向部として、前記閉側対向部の水のみを吐出する範囲の一部に、前記ボールプランジャーの鋼球が陥入する半球状凹部を備えたことを特徴とする。
【００３８】
即ち、本実施例は、図５−１〜２、図２−１〜２、図３−１〜２、及び、図４−１〜２に示す様に、実施例１を基本構成に、
弾性によって進退動し突出長が調節可能な閉側当接部として、シングルレバー８の閉方向側の側面８eに、ボールプランジャー７の鋼球７aの突出長を調節するアジャストボルト１８に装着されたボールプランジャー７が設けられ、
上下動又は水平回動可能な閉側対向部用部材として、カートリッジケース３の円錐状テーパー部３cに替わる円錐状テーパー部１９aを備えたキャップ１９が、カートリッジホルダー２の上部に、上下動・水平回動可能に設けられ、
節水モード用閉側対向部として、キャップ１９の円錐状テーパー部１９aのボールプランジャー７の鋼球７aが当接する範囲が用いられ、
全閉可能閉側対向部として、キャップ１９の円錐状テーパー部１９aの水のみを吐出する範囲の一部に、ボールプランジャー７の鋼球７aが陥入する半球状凹部１９bが備えられることによって、
全閉可能な水平回動位置の変更と節水モード用下限吐出量の調節とが可能な構成に変更した点に特徴があり、他の構成は実施例１と同様である。
本実施例のシングルレバーが回動しても動かない固定部である湯水混合栓本体は、湯水混合栓本体ケース１と、湯水混合栓本体ケース１に螺合装着されるカートリッジホルダー２と、カートリッジホルダー２で湯水混合栓本体ケース１に固定されるカートリッジケース３と、カートリッジケース３の内部に設けられた下部球面軸受４と、湯水混合栓本体ケース１に固定されたキャップ１９とで構成されている。
【００３９】
実施例１からの変更点を、下記に記載する。
カートリッジケース３は、円錐状テーパー部３cと半球状凹部３dとが備えられていない。
作動体６は、ボールプランジャー７が装着されていない。
ボールプランジャー７は、アジャストボルト１８の先端部に圧入されており、突出長が螺合調節可能な弾性によって進退動する閉側当接部となる。
アジャストボルト１８は、ボールプランジャー７を前後進させ、閉側当接部の当接部位となる鋼球７aの突出長を変えて下限吐出量を調節するボルトである。アジャストボルト１８は、シングルレバー８のカバー部８bを貫通して、作動体６と平行に閉方向側に設けられた螺合装着部８dに装着される。本実施例におけるシングルレバー８の閉方向側の側面は、カバー部８bの閉操作時に前進する側の下側側面８eとなる。閉側当接部の当接部位となる鋼球７aの突出長を螺合によって調節することにより、節水モード用下限吐出量を簡単に微調整することが出来る。
キャップ１９は、円錐状テーパー部１９aと半球状凹部１９bとが上面に備えられた円筒状の穴付きキャップであり、カートリッジホルダー２の上端部に水平回動可能に装着され、半球状凹部１９bが水平回動位置H１の位置になる様に固定ネジ２０により湯水混合栓本体ケース１に固定される。
円錐状テーパー部１９aは、カートリッジケース３の円錐状テーパー部３cに替る閉側対向部であり、ボールプランジャー７の鋼球７aが対向する範囲は閉側対向部となる。閉側対向部の内、突出状態のボールプランジャー７の鋼球７aが当接する範囲は、節水モード用閉側対向部となる。ただし、鋼球７aがボールプランジャー７のケース内に押し込まれた場合は、一時的に全閉出来る。
半球状凹部１９bは、ボールプランジャー７の鋼球７aが陥入する全閉可能閉側対向部であり、形状的には円錐状テーパー部１９ｂの上面に備えられる。従って、半球状凹部１９bの位置では、ボールプランジャー７の反力によるシングルレバー８の開方向への回動は無く、全閉位置を保持する。また、半球状凹部１９bの形状は、アジャストボルト１８を調節したときに、ボールプランジャー７と干渉しない大きさとする。
その他の構成は、実施例１と同様である。
【００４０】
以下に、本湯水混合栓の使用方法について記載する。
（１）使用開始前の全閉状態
予め、キャップ１９は半球状凹部１９bの位置が水平回動位置H１に設定された状態で湯水混合栓本ケース１に固定されており、  ボールプランジャー７は鋼球７aがキャップ１９の円錐状テーパー部１９aに当接したときに所定量の節水モード用下限吐出量となる様にアジャストボルト１８で突出長が調節されている。
シングルレバー８の水平回動位置は、図２−１に示す様に最右端の水平回動位置H１であり、上下回動位置は、図５−１に示す様に全閉位置となる下端位置である。図５−１は、水平回動位置H１における垂直断面図である。本図では、ボールプランジャー７の鋼球７aが、円錐テーパー部１９a及び半球状凹部１９bの双方に当接していないが、可動弁体９の閉止方向側の側面９cがカートリッジケース３の下部筒状部３ｂの内側面３gに当接している。
（２）水のみの吐出操作
実施例１と同様に、( 1 ) 項に示す全閉状態からシングルレバー８の水平回動操作をせず、上下回動操作をすれば、水のみの吐出量調節となり、無意識に湯を浪費しない。
（３）節水モード操作
( 1 ) 項に示す全閉状態から、シングルレバー８の上下回動操作をせず時計方向に水平回動操作をすれば、図４−１に示す水平回動位置H４において図５−２に示す様にボールプランジャー７の鋼球７aが半球状凹部１９bを離脱し円錐状テーパー部１９aに当接するので、ボールプランジャー７の反力によりシングルレバー８は上方に回動され、所定量の節水モード用下限吐出量の水が吐出される。
この鋼球７aがキャップ１９の半球状凹部１９bを離脱する水平回動位置H４よりも時計方向側では、節水モードが可能となる。本実施例でも、半球状凹部１９bが水のみを吐出する水平回動範囲の一部のみに備えられているので、水のみを吐出する他の水平回動範囲では節水モードが可能である。
即ち、図５−２に示す様に、閉側対向部であるキャップ１９の円錐状テーパー部１９aと弾性によって進退動する閉側当接部の当接部位であるボールプランジャー７の突出状態の鋼球７aとが当接することによって、作動体６の上下回動角度が一定に保持され、図４−１〜２に示す様に、可動弁体９の湯水調節切欠弁口９bが固定弁体１１の水流入弁口１１a又は／及び湯流入弁口１１bとわずかに連通し、所定量の略同一の水・湯水混合水・湯の節水モード用下限吐出量を吐出する可動弁体９の位置が保持される。
また、実施例１と同様に、節水モードが可能な水平回動範囲では、シングルレバー８を下方に回動し下端位置で保持すれば全閉出来、手を放して保持を解除すればボールプランジャー７の反力により節水モードに復帰し、所定量の節水モード用下限吐出量が自動的に吐出される。節水モード用下限吐出量よりも大流量を必要とするときは、シングルレバー８を上方に回動して流量を調節する。
図４−１、図４−２は、実施例１と同様である。
（４）湯水混合比・吐出量の調節
実施例１と同様に、シングルレバー８の水平回動で湯水混合比を、上下回動で吐出量を調節する。
図３−１、図３−２は、実施例１と同様である。
（５）節水モード用下限吐出量の調節
アジャストボルト１８を螺合により上下動させてボールプランジャー７の鋼球７aの突出状態の上下位置を調節すれば、ボールプランジャー７の反力によるシングルレバー８の上下回動位置が変化し、作動体６を介して可動弁体９の位置が変化して、節水モード用下限吐出量が調節される。
（６）全閉位置の変更
キャップ１９を水平回動して、半球状凹部１９bの位置を所望の湯水混合比の水平回動位置に設定した後に、キャップ１９を固定ネジ２０で湯水混合栓本体ケース１に固定すれば、所望混合比での全閉操作が出来るので、所望混合比での繰り返し使用の場合に、毎回、シングルレバー８を水平回動位置H１の位置に戻す煩雑さが無くなり、シングルレバー８の操作が簡単になる。
（７）使用後の全閉操作
実施例１と同様に、湯水混合栓を全閉状態で保持するために、シングルレバー８の水平・上下回動位置を( 1 ) 項に示す状態に戻す意識的な操作が必要である。
全閉位置が変更されている場合は、水平回動位置を全閉位置に合わせる。
【００４１】
本実施例において、キャップ１９は、節水モード用閉側対向部と全閉可能閉側対向部とが一体的に備えられた閉側対向部用部材であり、湯水混合栓本体に上下動可能に装着されているので、節水モード用下限吐出量の変更が一括して出来る。
上下動させる場合は、キャップ１９の上下位置を調節して固定ネジ２０で固定しても良いが、湯水混合栓本体ケース１の外側面に備えた縦溝に固定ネジ２０の先端を縦溝の底面に当接しない様に挿入してキャップ１９を水平回動しない様に装着するとともに、湯水混合栓本体ケース１の外周面のキャップ１９の下側に設けられた螺合装着部に螺合するナットを回転させて上下動させる方法が良い。（前記の縦溝、螺合装着部、ナットは  図に表示されていない）
また、キャップ１９に替えて、キャップ１９を半径方向に分割した複数の扇状分割体を、湯水混合栓本体ケース１に水平回動可能に装着すれば、全閉可能位置の変更だけでなく、全閉可能範囲の変更が簡単になる。扇状分割体は、図５−１において二点鎖線で示す様に、湯水混合栓本体ケース１の外側面に設けたリング状装着部１fに挿入され、固定ネジ２０で固定される。
また、アジャストボルト１８に対するシングルレバー８の螺合装着部８dを、内側に複数段のリング状凹部を備えたパイプ状穴に替え、アジャストボルト１８をボールプランジャーの鋼球を軸外面に突出して設けたストレート軸に替え、ストレート軸をパイプ状穴に装着することによって、螺合による無段階調節からストレート軸とパイプ状穴とによる多段調節としても良い。
【実施例３】
【００４２】
本実施例は、
実施例２の構成に加え、
弾性によって進退動し突出長が調節可能な開側当接部として、シングルレバーの開方向側の側面にも、アジャストボルトに装着されたボールプランジャーを設け、
開側対向部を、キャップの円錐状テーパー部の開側当接部が対向する範囲とすることを特徴とする。
【００４３】
即ち、本実施例は、図６、図２−１〜２、図３−１〜２、図４−１〜２に示す様に、実施例２を基本構成に、
開側当接部のボールプランジャー２２を先端部に圧入した上限吐出量調節用のアジャストボルト２１を、シングルレバー８の開方向側の側面８gの螺合装着部８fに螺合装着して、上限吐出量の調節も可能にした点に特徴があり、他の構成は実施例２と同様である。
【００４４】
ボールプランジャー２２は、アジャストボルト２１の先端部に圧入されており、鋼球２２aは突出長が調節可能な弾性によって進退動する開側当接部の当接部位となる。
アジャストボルト２１は、ボールプランジャー２２を前後進させ開側当接部の突出長を調節して上限吐出量を調節するボルトである。アジャストボルト２１は、シングルレバー８のカバー部８bを貫通して、作動体６と平行に開方向側に設けられた螺合装着部８fに螺合装着される。本実施例におけるシングルレバー８の閉止方向側の側面は、カバー部８aの閉止操作時に前進する側の下側測面８eとなり、シングルレバー８の開方向側の側面は、カバー部８aの開操作時に前進する側の下側測面８gとなる。
また、本実施例におけるキャップ１９の円錐テーパー部１９aは、ボールプランジャー２２に対向する範囲が開側対向部となり、開側対向部にはボールプランジャー２２の鋼球２２aが陥入する半球状凹部が備えられていないので、シングルレバー８を全開の上端位置に手で保持しない限り全開出来ない。
その他の構成は、実施例２と同様である。
【００４５】
以下に、本湯水混合栓の使用方法について記載する。
（１）使用開始前の全閉状態
予め、キャップ１９は半球状凹部１９bの位置が最右端の水平回動位置H１に設定された状態で湯水混合栓本ケース１に固定されており、  ボールプランジャー７は鋼球７aがキャップ１９の円錐状テーパー部１９aに当接したときに所定量の節水モード用下限吐出量 となる様にアジャストボルト１８で突出長が調節されている。
また、ボールプランジャー２２は、鋼球２２aがキャップ１９の円錐テーパー部１９aに当接したときに所望の上限吐出量となる様にアジャストボルト２１で調節されている。
シングルレバー８の水平回動位置は、図２−１に示す様に水平回動位置H１であり、上下回動位置は、図６に示す様に全閉位置となる下端位置である。
図６は、水平回動位置H１における垂直断面図である。
（２）水のみの吐出操作
実施例２と同様である。
（３）節水モード操作
実施例２と同様である。
（４）湯水混合比・吐出量の調節
上限吐出量より大流量を吐出するにはシングルレバー８を手で保持する必要があること以外は、実施例２と同様である。
（５）節水モード用下限吐出量 の調節
実施例２と同様である。
（６）上限吐出量の調節
アジャストボルト２１を螺合により上下動させてボールプランジャー２２の鋼球２２aの上下位置を変えれば、ボールプランジャー２２の反力によるシングルレバー８の上下回動位置が変化し、作動体６を介して可動弁体９の位置が変化して、上限吐出量が調節される。なお、キャップ１９の上下動によっても調節可能であるが、下限吐出量も同時に変化する。
（７）全閉位置の変更
実施例２と同様である。
（８）使用後の全閉操作
実施例１と同様に、湯水混合栓を全閉状態で保持するために、シングルレバー８の水平・上下回動位置を( 1 ) 項に示す状態に戻す意識的な操作が必要である。
【実施例４】
【００４６】
本実施例は、
弾性によって進退動する閉側当接部として、可動弁体の閉方向側に、バネ線により進退動可能に支持されるローラーを設け、
閉側対向部を、湯水混合栓本体の内側面の前記ローラーが対向する範囲とし、
節水モード用閉側対向部を、前記閉側対向部の前記ローラーが当接する範囲とし、
全閉可能閉側対向部として、前記閉側対向部の水のみを吐出する範囲の一部に、前記ローラーが陥入する開口部を備えたことを特徴とする。
【００４７】
即ち、本実施例は、図７、図８−１〜２に示す様に、実施例１を基本構成に、
弾性によって進退動する閉側当接部として、ボールプランジャー７に替えて、可動弁体９の閉方向側にリング状バネ線２６の可動端部２６cに設けられたローラー２８が設けられ、
節水モード用閉側対向部として、カートリッジケース３の下部筒状部３bの内側面３gのローラー２８が当接する範囲を用い、
全閉可能閉側対向部として、水平回動位置H１の位置に備えられたローラー２８が陥入する開口部３hが備えられている点に特徴があるが、湯水混合栓としての機能・使用方法や他の構成は実施例１と同様である。
【００４８】
実施例１からの変更点を、下記に記載する。
作動体６は、ボールプランジャー７が設けられていない。
カートリッジケース３は、上部立上部３aに円錐状テーパー部３cと半球状凹部３dとが備えられていない。下部筒状部３bの内側面３gは、ローラー２８が対向する閉側対向部のうち、ローラー２８が当接する範囲が節水モード用閉側対向部となり、水平回動位置H１の位置に備えられたローラー２８が陥入する開口部３hが全閉可能閉側対向部となる。
また、図７に示す様に、２カ所の側面開口部３fの内、閉方向側の側面開口部３fの高さは、ローラー２８が陥入しない高さに備えられ、開方向側の側面開口部３fの高さは、可動弁体９の外周部が陥入しない高さに備えられている。
可動弁体９は、リング状バネ線２６が装着される段差部９dが、外周部に新たに備えられ、湯水調節切欠弁口９bの形状がローラー２８の進退動可能に変更されている。
リング状バネ線２６は、弾性のあるステンレス線で成型されたバネであり、リング状部２６aとアーム部２６bと可動端部２６cとで構成される。リング状部２６aは、両端が内側に曲げられているリング状の部分で、可動弁体９の段差部９dに装着され、自己の弾性力で保持される。アーム部２６bは、ローラー２８が押圧されたときに撓む変位部である。可動端部２６cは、アーム部２６bの端部において上方に折り曲げられた部分であり、ローラー２８の回転軸２７が圧入される。
回転軸２７は、ローラー２８の下端面を支持するフランジが備えられた回転軸である。
ローラー２８は、回転軸２７を回転軸とするローラーで、弾性によって進退動する閉側当接部となる。
前記以外の構成部品は、実施例１と同一である。
【００４９】
以下に、本湯水混合栓の使用方法について記載する。
（１）使用開始前の全閉状態
図８−１に示す様に、シングルレバー８の水平回動位置は最右端の水平回動位置H１であり、上下回動位置は、実施例１と同様に全閉位置となる下端位置である。この状態では、ローラー２８はカートリッジケース３の開口部３hに陥入しているので、リング状バネ線２６の反力が作用せず、全閉操作後に手を放しても可動弁体９は全閉位置を保持し、シングルレバー８も上方に回動されない。
（２）水のみの吐出開始操作
実施例１と同様である。
（３）節水モード操作
( 1 ) 項に示す全閉状態から、図８−１〜２に示す様に、シングルレバー８の上下回動操作をせず、水平回動位置H４よりも時計方向に水平回動操作をすれば、ローラー２８が開口部３hを離脱し下部筒状部３bの内側面３gに当接するので、リング状バネ線２６の反力により可動弁体９は後進しシングルレバー８は上方に回動され、所定量の節水モード用下限吐出量の水・湯水混合水・湯が吐出される。
図７は、水平回動位置H２における節水モード状態の垂直部分断面図を示す。
図８−１は、水平回動位置H１における全閉状態の可動弁体９と固定弁体１１の位置関係を示す。
図８−２は、水平回動位置H２における節水モード状態の可動弁体９と固定弁体１１の位置関係を示す。
なお、何れの節水モードの水平回動位置でも、シングルレバー８を下方に回動し下端位置で保持すれば全閉出来、手を放して保持を解除すればリング状バネ線２６の反力により節水モードに復帰し、所定量の節水モード用下限吐出量の水・湯水混合水・湯が自動的に吐出される。節水モード用下限吐出量よりも大流量を必要とするときは、実施例１と同様に、シングルレバー８を上方に回動して流量を調節する。
（４）湯水混合比・吐出量の調節
実施例１と同様である。
（５）使用後の全閉操作
実施例１と同様に、湯水混合栓を全閉状態で保持するために、シングルレバー８の水平・上下回動位置を( 1 ) 項に示す状態に戻す意識的な操作が必要である。
【００５０】
本実施例の変形例を、下記に記載する。
（１）リング状バネ線２６とローラー２８とに替えて、ボールプランジャー又はローラープランジャーを可動弁体の閉方向側の側面９cに設けても良い。
（２）リング状バネ線２６とローラー２８とに替えて、弾性によって進退動しない閉側当接部として、ボールローラー、ローラー、又は単なる半球状凸部等に替えても良いが、この場合はカートリッジケース３の開口部３hが設けられた水平回動位置H１でのみ全閉可能となる。
【実施例５】
【００５１】
本実施例は、
弾性によって進退動しない閉側当接部として、可動弁体の閉方向側の側面の一部を用い、
閉側対向部を、湯水混合栓本体の内側面の前記閉側当接部が対向する範囲とし、
弾性によって進退動する節水モード用閉側対向部として、前記閉側対向部の中央の湯水混合比が等比となる箇所に、ボールプランジャーを内向きに設け、
全閉可能閉側対向部として、前記閉側対向部の水のみを吐出する範囲の一部を用いることを特徴とする。
【００５２】
即ち、本実施例は、図９、図１０−１〜２、及び、図１１−１〜３に示す様に、実施例１を基本構成に、
弾性によって進退動しない閉側当接部として、ボールプランジャー７に替えて、カートリッジケース３の下部筒状部３bの内側面３gとボールプランジャー７の鋼球７aに当接する可動弁体９の閉方向側の側面９cの当接部位９eを用い、
弾性によって進退動する節水モード用閉側対向部として、ボールプランジャー７を、作動体６の閉方向側の側面６eに設けず、湯水混合栓本体ケース１の側面背面部の水平回動位置H２に設け、
全閉可能閉側対向部として、カートリッジケース３の下部筒状部３bの内側面３gの水平回動位置H１（水のみを吐出する水平回動範囲の一部）の部位を用いることを特徴とする。
本実施例では、節水モード用閉側対向部（ボールプランジャー７の鋼球７a）の位置が、水平回動位置H２に限定されているため、実施例１と異なり、節水モード用水平回動範囲が狭くなる。従って、節水モード用水平回動範囲と全閉可能位置とで構成されるシングルレバー８の水平回動範囲も狭くなり、これに対応して、可動弁体９の湯水調節切欠弁口９bの切欠き幅( 見込み角）も狭くなる。
本実施例では、水平回動範囲は、湯水混合栓正面より左右各３５度計７０度となり、可動弁体９の湯水調節切欠弁口９bの切欠き幅( 見込み角）は６０度となっている。
他の構成は実施例１と同様である。
【００５３】
実施例１からの変更点を、下記に記載する。
作動体６は、ボールプランジャー７が設けられていない。
湯水混合栓本体ケース１は、側面背面部の水平回動位置H２にボールプランジャー７を装着するための筒部１gが備えられ、筒部１gの内部に、ボールプランジャー７が先端に圧入されたプランジャーホルダー２３を螺合装着するネジ部１hが備えられる。
カートリッジケース３は、円錐状テーパー部３cと半球状部凹部３dとが備えられず、可動弁体９の閉側当接部９eに対向する下部筒状部３bの内側面３gの範囲が、閉側対向部となる。
また、ボールプランジャー７を内側に陥入させるための円形開口部３lが、下部筒状部３bの水平回動位置H２に備えられ、シングルレバー８の水平回動範囲を規制する円弧状切欠部３eの切欠き範囲も、水平回動範囲が左右３５度計７０度に対応して変更される。
ボールプランジャー７は、鋼球７aが節水モード用閉側対向部となり、プランジャーホルダー２３の先端側に圧入されている。プランジャーホルダー２３は、水密用のOリング２４とともに湯水混合栓本体ケース１の筒部１gの螺合装着用のネジ部１hに螺合装着される。
可動弁体９は、閉方向側の側面９cのボールプランジャー７の鋼球７aに当接する当接部位９eが、閉側当接部として用いられる。当接部位９eの内、最も閉方向側の部位がカートリッジケース３の下部筒状部３bの内側面３gにも当接する。
また、閉方向側の側面９cには、可動弁体９が水平回動位置H1で全閉状態の位置にあるときに、ボールプランジャー７の鋼球７aと干渉することを回避するための半球状凹部９fが備えられる。半球状凹部９fの半径は、鋼球７aが陥入し易いように鋼球７aの半径より僅か大とする。
前記以外の構成部品は、実施例１と同一である。
【００５４】
以下に、本湯水混合栓の使用方法について記載する。
（１）使用開始前の全閉状態
シングルレバー８の水平回動位置・上下回動位置は、実施例１と同様である。また、図１０−１に示す様に、保持せずに全閉可能な水平回動位置も、水のみが吐出される水平回動位置H１に限定されている。
（２）水のみの吐出開始操作
実施例１と同様である。
図１０−１は、水平回動位置H１における全閉状態の固定弁体１１と可動弁体９の位置関係を示す水平断面図である。
図１０−２は、水平回動位置H１における全開状態の固定弁体１１と可動弁体９の位置関係を示す。
（３）節水モード操作
( 1 ) 項に示す全閉状態から、シングルレバー８の上下回動操作をせず軽く保持した状態で時計方向に水平回動操作をすれば、可動弁体９の半球状凹部９fがボールプランジャー７の鋼球７aから離脱することにより可動弁体９が後退され、次に可動弁体９の閉方向側の側面９cの当接部位９eと当接することにより、モード切替の水平回動位置H４よりも時計方向側では節水モード用下限吐出量の水・湯水混合水・湯が吐出される。また、シングルレバー８は、作動体６を介して節水モード用の上下回動位置に回動される。
ただし、実施例１と異なり、節水モード用閉側対向部が半球状であり、閉側当接部が円弧状の曲面であるため、水平回動位置H４から水平回動位置H３の範囲で、可動弁体９は厳密に節水モード用位置を保持しない（作動体６の上下回動角度は厳密には同一でない）が、本実施例の水平回動の範囲では実用上問題の無い略同一の節水モード用下限吐出量が吐出される。
図９は、水平回動位置H２における節水モード状態の垂直部分断面図を、図１１−１は、水平回動位置H４における節水モード状態の固定弁体１１と可動弁体９の位置関係を、図１１−２は、水平回動位置H２における節水モード状態の固定弁体１１と可動弁体９の位置関係を、図１１−３は、水平回動位置H３における節水モード状態の固定弁体１１と可動弁体９の位置関係を、示す。
（４）湯水混合比・吐出量の調節
実施例１と同様である。
（５）使用後の全閉操作
実施例１と同様に、湯水混合栓を全閉状態で保持するために、シングルレバー８の水平・上下回動位置を( 1 ) 項に示す状態に戻す意識的な操作が必要である。
【００５５】
本実施例の変形例を、下記に記載する。
（１）プランジャーホルダー２３をアジャストボルトに変更して鋼球７aの突出長を調節可能とし、可動弁体９の半球状凹部９fを調節範囲に対応可能な形状に変更すれば、節水モード用下限吐出量が調節出来る。
（２）ボールプランジャー７に替えて、弾性によって進退動しない節水モード用閉側対向部として、ボールローラー、ローラー、又は単なる半球状凸部等に替えても良いが、この場合は水平回動位置H１でのみ全閉可能となる。
（３）ボールプランジャー７を、実施例１のカートリッジケース３の円錐状テーパー部３cに、節水モード用閉側対向部として内向きに設け、作動体６の閉方向側の側面を閉側当接部としても良い。また、同様に、実施例２のキャップ１９の円錐状テーパー部１９aに、上向きに設け、シングルレバー８の閉方向側の側面を閉側当接部としても良い。
【実施例６】
【００５６】
本実施例は、
弾性によって進退動しない閉側当接部として、可動弁体の閉方向側の側面の一部を用い、
閉側対向部を、湯水混合栓本体の内側面に設けられた前記閉側当接部が対向する円弧状厚肉部及び円弧状薄肉部とし、
弾性によって進退動しない節水モード用閉側対向部として、前記円弧状厚肉部を用い、
全閉可能閉側対向部として、前記円弧状薄肉部の水のみを吐出する範囲の一部を用いることを特徴とする。
【００５７】
即ち、本実施例は、図１２、図１３−１〜２に示す様に、実施例１を基本構成に、
弾性によって進退動しない閉側当接部として、ボールプランジャー７に替えて、カートリッジケース３の下部筒状部３bの内側面３gに設けられた筒状アダプター１４の円弧状厚肉部１４a及び円弧状薄肉部１４bに当接する可動弁体９の閉方向側の側面９cの当接部位９eを用い、
閉側対向部として、カートリッジケース３の円錐状テーパー部３cに替えて、可動弁体９の当接部位９eが対向する筒状アダプター１４の円弧状厚肉部１４a及び円弧状薄肉部１４bを用い、
弾性によって進退動しない節水モード用閉側対向部として、筒状アダプター１４の円弧状厚肉部１４aを用い、
全閉可能閉側対向部として、筒状アダプター１４の円弧状薄肉部１４bの水平回動位置H１の部位（水のみを吐出する範囲の一部）を用いることを特徴とする。
従って、実施例１と異なり、節水モードの水平回動範囲では、全閉操作は出来ない。
他の構成は実施例１と同様である。
【００５８】
実施例１からの変更点を、下記に記載する。
作動体６は、ボールプランジャー７が設けられていない。
カートリッジケース３は、上部筒状部３aに円錐状テーパー部３cと半球状凹部３dとが備えられず、下部筒状部３bの内側面に筒状アダプター１４が装着されるリング状段差部３mが設けられる。
筒状アダプター１４は、筒状の押出成型材の切断品であり、円弧状厚肉部１４aと円弧状薄肉部１４bとで構成され、側面には側面開口部１４cが備えられている。カートリッジケース３への装着は、作動体６等がカートリッジケース３に下方から挿入された後に、リング状段差部３mに挿入され、結合ピン１５で結合される。
円弧状厚肉部１４aは、可動弁体９の閉止方向側の側面９cに対向する節水モード用閉側対向部であり、モード切替水平回動位置H４から最左端の水平回動位置H３の範囲に備えられる。モード切替水平回動位置H４は、水平回動位置H１において円弧状薄肉部１４bに当接している可動弁体９の側面９cと円弧状厚肉部１４aの内側円弧曲面との交線を含む水平回動位置である。
円弧状厚肉部１４aは、最右端の水平回動位置H１で全閉状態の可動弁体９が時計方向に水平回動されたとき、可動弁体９を節水モード用下限吐出量の位置に後退させるとともに、可動弁体９の当接部位９eの最も閉方向側の部位が当接しているときは節水モード用下限吐出量を確保する。
円弧状薄肉部１４bは、可動弁体９の当接部位９eの最も閉方向側の部位が当接可能な範囲は全閉可能閉側対向部となるが、本実施例では、水平回動位置H１のみが、全閉可能閉側対向部となる。
側面開口部１４cは、カートリッジケース３の側面開口部３fと連通して、水・湯水混合水・湯が湯水混合栓ケース1のリング状凹部1eへ流出するための開口部である。
固定弁体１１と水密連通パッキン１２は、筒状アダプター１４が新たに装着されることによる関係寸法の変更以外は、実施例１と同一である。
前記以外の構成部品は、実施例１と同一である。
【００５９】
以下に、本湯水混合栓の使用方法について記載する。
（１）使用開始前の全閉状態
シングルレバー８の水平回動位置・上下回動位置は、実施例１と同様であるが、図１３−１に示す様に、全閉可能な水平回動位置は、最右端の水平回動位置H１に限定される。
（２）水のみの吐出開始操作
実施例１と同様である。
（３）節水モード操作
( 1 ) 項に示す全閉状態から、シングルレバー８の上下回動操作をせず軽く保持した状態で時計方向に水平回動操作をすれば、可動弁体９の閉方向側の側面９c（当接部位９e）が円弧状厚肉部１４aのモード切替の水平回動位置H４のコーナーに当接することにより可動弁体９が後退され、水平回動位置H４よりも時計方向側では節水モード用下限吐出量の湯水混合水が吐出される。
ただし、実施例１のボールプランジャー７と異なり可動弁体９の閉方向側の側面９c（当接部位９e）が固定の当接部であるため、水平回動位置H４よりも時計方向側では、全閉操作は出来ない。
本実施例では、可動弁体９は、水平回動位置H１から水平回動位置H４へ水平回動される間に、全閉位置から微量吐出位置を経て節水モード用下限吐出量の位置に後退する。同じく、シングルレバー８は、作動体６を介して上方に回動される。
図１２は、均等混合の水平回動位置H２における節水モード状態の垂直部分断面図を、図１３−１は、水平回動位置H１における全閉状態の固定弁体１１と可動弁体９の位置関係を、図１３−２は、水平回動位置H２における節水モード状態の固定弁体１１と可動弁体９の位置関係を示す。
（４）湯水混合比・吐出量の調節
実施例１と同様であるが、全閉可能な水平回動位置は、水平回動位置H１に限定される。
（５）使用後の全閉操作
実施例１と同様に、湯水混合栓を全閉状態で保持するために、シングルレバー８の水平・上下回動位置を( 1 ) 項に示す状態に戻す意識的な操作が必要である。
【００６０】
図１４に示す様に、可動弁体９の閉方向側の側面９cに円弧状切欠部９gを備えれば、モード切替の水平回動位置H４の位置（湯水混合比）を、所望に位置に設定出来る。この場合は、可動弁体９の当接部位９eは、最も閉方向側の部位のみとなる。
【実施例７】
【００６１】
本実施例は、実施例１を基本構成に、
外部給水系統に接続される水流入経路と、外部給湯系統に接続される湯流入経路と、水・湯水混合水・湯が吐出される吐出経路とに加え、
外部の水道水対応浄水装置と、該水道水対応浄水装置に接続される第三流入経路とが追加されることによって、
水・湯水混合水・湯・浄水が、前記吐出経路から切替吐出可能なシングルレバー式湯水混合栓であって、
弾性によって進退動する閉側当接部として、作動体の閉方向側の側面に、ボールプランジャーを設け、
閉側対向部を、湯水混合栓本体の上部内側面に備えられた円錐状テーパー部の前記ボールプランジャーが対向する範囲とし、
全閉可能閉側対向部として、前記閉側対向部の中央にある水のみを吐出する位置に、前記ボールプランジャーの鋼球が陥入する半球状凹部を備え、
前記全閉可能閉側対向部より時計方向側に水・湯水混合水・湯を吐出する節水モード用閉側対向部を備え、
前記全閉可能閉側対向部より反時計方向側に浄水を吐出する節水モード用閉側対向部を備えたことを特徴とする。
【００６２】
即ち、本実施例は、図１５、図１６−１〜２、図１７−１〜２に示す様に、実施例１を基本構成に、
実施例１の水流入経路３０と湯流入経路３１と吐出経路３７とに加え、
外部の水道水対応浄水装置と、第三流入経路３２が新たに設けられたシングルレバー式浄水装置併用湯水混合栓となる点に特徴がある。
本実施例の湯水混合栓では、図１６−１〜２、図１７−１〜２に示す様に、水平回動範囲H１〜H３が水・湯水混合水・湯の吐出範囲であり、水の浄水の吐出位置は、水原水の浄水吐出用の水平回動位置HR１である。本実施例の湯水混合用の水平回動範囲は、時計方向の６０度となり、実施例１よりも狭くなっている。
【００６３】
本実施例の各流入経路は、図１５に示す様に、下記の通りである。
水流入経路３０は、実施例１と同様に、湯水混合栓本体ケース１の水流入部１aと、水密連通パッキン１２の水流入口１２aと、固定弁体１１の水流入弁口１１aとによって構成され、第一給水系統３４に接続されている。
湯流入経路３１は、実施例１と同様に、湯水混合栓本体ケース１の湯流入部１bと、水密連通パッキン１２の湯流入口１２bと、固定弁体１１の湯流入弁口１１bとによって構成され、第一給湯系統３５に接続されている。
第三流入経路３２は、湯水混合栓本体ケース１の第三流入部１iと、水密連通パッキン１２の第三流入口１２cと、固定弁体１１の第三流入弁口１１cとによって構成され、第一給水系統３４から分岐した第二給水系統３６に水道水対応浄水装置２９を経由して接続されている。
【００６４】
実施例１からの変更点を、下記に記載する。
湯水混合栓本体ケース１には、第三流入部１iが追加される。
水密連通パッキン１２には、第三流入口１２cが追加される。
固定弁体１１には、図１６−１に示す様に、第三流入弁口１１cが追加され、水流入弁口１１aが背面側の水平回動位置H１に配置変更され、湯流入弁口１１bと第三流入弁口１１cは、水流入弁口１１aを挟んで反対側に配置される。
可動弁体９は、図１６−１に示す様に、湯水調節切欠弁口部９bの形状が、固定弁体１１の各流入弁口の形状変更に対応して、変更される。
水道水対応浄水装置２９は、第一給水系統３４から分岐した第二給水系統３６に調節・交換用バルブ３３とともに挿入され、湯水混合栓本体ケース１の第三流入部１iに連結される。
カートリッジケース３は、全閉可能閉側対向部となる半球状凹部３dの位置が、水平回動位置H１に対応するために正面の位置に変更される。従って、使用開始時に無意識に水道水対応浄水装置２９を使用し、水道水対応浄水装置２９の寿命が短縮しない効果がある。また、シングルレバー８の水平回動範囲を規制する円弧状切欠部３e の切欠部も、シングルレバー８の水平回動範囲がH３〜HR１の範囲となる様に変更される。
前記以外の構成部品は、実施例１と同一である。
【００６５】
以下に、本湯水混合栓の使用方法について記載する。
（１）使用開始前の全閉状態
図１６−１に示す様に、シングルレバー８の水平回動位置は、湯水混合栓正面となる水平回動位置H１であり、上下回動位置は、実施例１と同様に全閉位置となる下端位置である。
（２）水道水のみの吐出操作
実施例１と同様である。
図１６−１は、水平回動位置H１における全閉状態の可動弁体９と固定弁体１１の位置関係を、図１６−２は、全開状態の可動弁体９と固定弁体１１の位置関係を示す。
（３）節水モード操作
水道水対応浄水装置２９を使用しないときは、実施例１と同様に、シングルレバー８の上下回動操作をせず時計方向に水平回動操作をすれば、水平回動位置H４より時計方向の位置では、所定量の節水モード用下限吐出量の水・湯水混合水・湯が吐出される。
（４）湯水混合比・吐出量の調節
実施例１と同様である。
（５）浄水の吐出と吐出量の調節
図１７−１に示す様に、シングルレバー８の水平回動位置が最右端の水平回動位置HR１となる様に反時計回りに水平回動し、水平回動後に上下回動して吐出量を調節する。水平回動位置HR１では、第一給水系統３４から分岐した第二給水系統３６、水道水対応浄水装置２９の経路で水道水が浄水となり、第三流入経路３２、可動弁体９の湯水調節切欠弁口９b、カートリッジケース３の側面開口部３f、湯水混合栓本体ケース１のリング状凹部１e、吐出部１cの経路で吐出される。
なお、水平回動位置HR４は、水平回動位置H４と同様に節水モードへの切替位置となるので、水平回動位置HR４〜水平回動位置HR１の範囲では、シングルレバー８を手で全閉用の上下回動位置に保持しなければ全閉操作は出来ない。
水平回動中に、可動弁体９の湯水調節切欠弁口９bが、固定弁体１１の水流入弁口１１aと第三流入弁口１１cとを同時に連通し、カートリッジケース３の側面開口部３fに水道水と浄水とが同時に流入しても、水道水対応浄水装置２９等による管路抵抗によって第三流入弁口１１cから流出する浄水は短時間・少量の吐出量であり、水道水対応浄水装置２９の寿命にはほとんど影響しない。
図１７−１は、水平回動位置HR１における全閉状態の可動弁体９と固定弁体１１の位置関係を、図１７−２は、全開状態の可動弁体９と固定弁体１１の位置関係を示す。
（６）使用後の全閉操作
実施例１と同様に、湯水混合栓を全閉状態で保持するために、シングルレバー８の水平・上下回動位置を（１）項に示す状態に戻す意識的な操作が必要である。
【００６６】
水道水対応浄水装置２９に替えて太陽熱温水器を接続すれば、第二給水系統３６は第二給湯系統に、第三流入経路３２は太陽熱温水流入経路になり、本実施例の浄水装置併用湯水混合栓は、太陽熱温水器併用湯水混合栓になる。
また、同様に、第一給水系統３４と分離して、ミネラルウオーター等の市販の飲料用容器を第三流入経路３２に接続すれば、飲料用容器併用湯水混合栓になる。
ただし、これ等の場合は、第一給水系統３４の水圧が、水流入経路３０と第三流入経路３２とを経由して、太陽熱温水器又は飲料用容器に印加されない様に、湯水混合栓本体ケース１の第三流入部１iの外部に逆止弁を設ける方が良い。または、固定弁体１１の水流入弁口１１aと第三流入弁口１１cとの間隔をあけて、可動弁体９の湯水調節切欠弁口９bが、水平回動中に双方を連通しない様にしても良い。
太陽熱温水器や飲料用容器を連結した場合の使用方法は、本実施例と同様である。
【実施例８】
【００６７】
本実施例は、実施例１を基本構成に、
外部給水系統に接続される水流入経路と、外部給湯系統に接続される湯流入経路と、水・湯水混合水・湯が吐出される吐出経路とに加え、
水・湯水混合水が外部の中温対応浄水装置に給水される第二吐出経路と、外部の中温対応浄水装置と、該中温対応浄水装置を前記吐出経路に接続する浄水吐出経路とが追加されることによって、
水・湯水混合水・湯・浄水が、前記吐出経路から切替吐出可能なシングルレバー式湯水混合栓であって、
弾性によって進退動する閉側当接部として、作動体の閉方向側の側面に、ボールプランジャーを設け、
閉側対向部を、湯水混合栓本体の上部内側面に備えられた円錐状テーパー部の前記ボールプランジャーが対向する範囲とし、
全閉可能閉側対向部として、前記閉側対向部の中央にある水のみを吐出する位置に、前記ボールプランジャーの鋼球が陥入する半球状凹部を備え、
前記全閉可能閉側対向部より時計方向側に水・湯水混合水・湯を吐出する節水モード用閉側対向部を備え、
前記全閉可能閉側対向部より反時計方向側に浄水を吐出する節水モード用閉側対向部を備えたことを特徴とする。
【００６８】
即ち、本実施例は、図１８、図１９−１〜２、及び、図２０−１〜２に示す様に、実施例１を基本構成に、
実施例１の水流入経路３０と、湯流入経路３１と、吐出経路３７とに加え、
吐出経路３７が一部変更され、
第二吐出経路３８と、外部の中温対応浄水装置４１と、浄水吐出経路３９と、第二湯流入経路４０とが新たに設けられ、
固定弁体１１の各弁口の連通切替えが、可動弁体９の湯水調節切欠弁口９bに替えて、湯水調節凹部弁口９hによって行われ、
中温対応浄水装置４１が連結可能なシングルレバー式中温浄水装置併用湯水混合栓となる点に特徴がある。
図１９−１〜２、図２０−１〜２に示す様に、水・湯水混合水・湯の吐出範囲は、水平回動位置H１〜H３の間であり、水・湯水混合水の浄水の吐出範囲は、水原水の浄水吐出用の水平回動位置HR１〜混合水原水の浄水吐出用の水平回動位置HR３の間である。
水平回動位置HR１は、水のみが中温対応浄水装置４１に吐出される位置であり、水平回動位置HR３は、湯水混合水が中温対応浄水装置４１に吐出される範囲の反時計方向の終端位置である。
また、本実施例の湯水混合栓では、中温対応浄水装置４１だけでなく、水道水対応浄水装置２９も接続出来る。
【００６９】
本実施例の各流入経路と各吐出経路は、図１８に示す様に、下記の通りである。
水流入経路３０と湯流入経路３１は、固定弁体１１の各弁口の形状・位置が変更される以外は、実施例１と同様である。
吐出経路３７は、実施例１の水・湯水混合水・湯の吐出経路に対応する経路であり、
実施例１では、可動弁体９の湯水調節切欠弁口９bに流入した水・湯水混合水・湯が、固定弁体１１の上側の空間とカートリッジケース３の側面開口部３fとを経由して、湯水混合栓本体ケース１のリング状凹部１eに流入するのに対して、
本実施例では、可動弁体９の湯水調節凹部弁口９hに流入した水・湯水混合水・湯が、固定弁体１１の吐出弁口１１dと固定弁体１１の上側の空間とカートリッジケース３の側面開口部３fとを経由して、湯水混合栓本体ケース１のリング状凹部１eに流入する吐出経路である。
第二吐出経路３８は、可動弁体９の湯水調節凹部弁口９hに流入した水・湯水混合水を中温対応浄水装置４１に吐出するための経路であり、固定弁体１１の第二吐出弁口１１eと、水密連通パッキン１２の第二吐出口１２dと、湯水混合栓本体ケース１の第二吐出部１jとによって構成され、調節・交換用バルブ３３と中温対応浄水装置４１とを経由して、浄水吐出経路３９に接続される。
浄水吐出経路３９は、中温対応浄水装置４１で浄化された水・湯水混合水を湯水混合栓本体ケース１の吐出部１cから吐出するための経路であり、湯水混合栓本体ケース１の下部に、浄水流入部１kとして備えられる。
第二湯流入経路４０は、水密連通パッキン１２の湯流入口１２bと固定弁体１１の第二湯流入弁口１１fとを連通させる経路であり、水密連通パッキン１２の分岐用凹部１２eと、固定弁体１１の第二湯流入弁口１１fとによって構成される。
【００７０】
実施例１からの変更点を、下記に記載する。
湯水混合栓本体ケース１には、吐出部１cに連通する浄水流入部１kと第二吐出部１jとが、追加される。
水密連通パッキン１２には、第二吐出経路用吐出口１２dと、固定弁体の湯流入弁口１１bと第二湯流入弁口１１fとを連通する連通用凹部１２eとが、追加される。
固定弁体１１には、吐出弁口１１dと、第二吐出弁口１１eと、第二湯流入弁口１１fとが追加される。水流入弁口１１aは正面側に配置変更され、湯流入弁口１１bと第二湯流入弁口１１fは、水流入弁口１１aを挟んで反対側に配置される。吐出弁口１１dは、上面と外周側側面が開口されている凹部弁口である。
可動弁体９は、湯水調節切欠弁口９bに替えて、固定弁体１１の各流入弁口とこれに対応する吐出弁口とを直接連通する小判状断面の湯水調節凹部弁口９hが、備えられる。
中温対応浄水装置４１は、湯水混合栓の外部に設けられる中温湯水混合水に対応可能な浄水装置であり、湯水混合栓本体ケース１の第二吐出部１jと浄水流入部１kの中間に調節・交換用バルブ３３とともに挿入される。
カートリッジケース３は、全閉可能閉側対向部となる半球状凹部３dの位置が、水平回動位置H１に対応するために正面側の位置に変更される。従って、使用開始時に無意識に中温対応浄水装置４１を使用し、中温対応浄水装置４１の寿命が短縮しない効果がある。また、シングルレバー８の水平回動範囲を規制する円弧状切欠部３e の切欠部も、シングルレバー８の水平回動範囲がH３〜HR３の範囲となる様に変更される。
前記以外の構成部品は、実施例１と同一である。
【００７１】
以下に、本湯水混合栓の使用方法について記載する。
（１）使用開始前の全閉状態
図１９−１に示す様に、シングルレバー８の水平回動位置は、湯水混合栓正面側の水平回動位置H１であり、上下回動位置は、実施例１と同様に全閉位置となる下端位置である。全閉状態での放置は、水平回動位置H１に限定されている。
なお、図１９−１において、２点鎖線は、湯のみを吐出する最左端の水平回動位置H３における全閉状態（手で保持）の可動弁体９の湯水調節用凹部弁口９ｈの位置を示す。
（２）水のみの吐出操作
実施例１と同様である。
図１９−２は、水平回動位置H１における全開状態の可動弁体９と固定弁体１１の位置関係を示す。本図において、２点鎖線は、水平回動位置H３における全開状態の可動弁体９の湯水調節用凹部弁口９ｈの位置を示す。
（３）節水モード操作
中温対応浄水装置４１を使用しないときは、実施例１と同様に、シングルレバー８の上下回動操作をせず時計方向に水平回動操作をすれば、水平回動位置H４より時計方向の位置では、所定量の節水モード用下限吐出量の水・湯水混合水・湯が吐出される。
（４）湯水混合比・吐出量の調節
実施例１と同様である。
（５）浄水の吐出と吐出量の調節
水道水原水の浄水を吐出するときは、図２０−１に示す様に、シングルレバー８の水平回動位置が水平回動位置HR１となる様に反時計方向に水平回動した後に上下回動して、吐出量を調節する。本実施例では、水平回動位置HR４より反時計方向の範囲は、節水モード範囲となっている。
水平回動位置HR１では、第一給水系統３４、水流入経路３０、湯水調節用凹部弁口９h、第二吐出経路３８、中温対応浄水装置４１、浄水吐出経路３９の経路で、水が浄水となって吐出部１cから吐出される。
水平回動中に、可動弁体９の湯水調節用凹部弁口９hが、固定弁体１１の水流入弁口１１aを第一吐出弁口１１dと第二吐出弁口１１eとに連通しても、中温対応浄水装置４１等による管路抵抗によって第二吐出弁口１１eから流出する水（原水）の吐出量は短時間の少量であり、中温対応浄水装置４１の寿命にはほとんど影響しない。
原水の湯水混合比を変える場合は、水平回動位置HR１より更に反時計方向に水平回動する。水平回動位置HR２は、均等混合水原水の水平回動位置であり、水平回動位置HR３は、混合水原水の最右端の水平回動位置である。本実施例においては、湯のみを中温対応浄水装置４１に流入させない様にすることによって、中温対応浄水装置４１に熱的障害が発生しない様になっている。
図２０−１は、水平回動位置HR１における節水モード状態の可動弁体９と固定弁体１１の位置関係を示す。本図おいて、２点鎖線は、混合水原水の浄水吐出用の水平回動位置HR３における節水モード状態の可動弁体９の湯水調節用凹部弁口９hの位置を示す。
図２０−２は、水平回動位置HR１における全開状態の可動弁体９と固定弁体１１の位置関係を示す。本図おいて、２点鎖線は、水平回動位置HR３における全開状態の可動弁体９の湯水調節用凹部弁口９hの位置を示す。
６）使用後の全閉操作
実施例１と同様に、湯水混合栓を全閉状態で保持するために、シングルレバー８の水平・上下回動位置を( 1 ) 項に示す状態に戻す意識的な操作が必要である。
【００７２】
中温対応浄水装置４１を湯水混合栓の浄水吐出経路３９に接続せず、湯水混合栓とは別置された浄水用吐出装置に接続し、直接吐出することも出来る。
中温対応浄水装置４１に替えてシャワーヘッドを連結すれば、使用開始時だけでなく常に湯のみが吐出されることのない安全なシャワーヘッド併用湯水混合栓になる。この場合は、調節・交換用バルブ３３と浄水吐出経路３９とは、不要となる。
この場合の使用方法は、本実施例と同様である。
【００７３】
実施例１〜８におけるシングルレバーの水平回動角度範囲・上下回動角度範囲・節水モード回動角度範囲、可動弁体や固定弁体の各弁口の形状・配置等は、一例であって、本発明は、これ等に限定されるものでは無い。その他の部材の位置関係・形状についても同様である。
【００７４】
また、実施例１〜８において、作動体６を球面軸受によって支持しているが、湯水混合栓本体ケース１に対して水平回動する水平回動体に設けられた上下回動軸によって支持しても良い。
【符号の説明】
【００７５】
１  湯水混合栓本体ケース
１a  水流入部
１b  湯流入部
１c  吐出ノズル
１d  ネジ部
１e  リング状凹部
１f  リング状装着部
１g  筒状部
１h  ネジ部
１i  第三流入部
１j  第二吐出部
１k  浄水流入部
２  カートリッジホルダー
２a  ネジ部
３  カートリッジケース
３a  上部立上部
３b  下部筒状部
３c  円錐状テーパー部
３d  半球状凹部
３e  円弧状切欠部
３f  側面開口部
３g  内側面（下部筒状部）
３h  開口部( ローラー陥入用) 
３i  上部球面軸受部
３j  パッキン装着部
３k  Ｏリング装着部
３l  円形開口部( ボールプランジャー陥入用)
３m リング状段差部
４  下部球面軸受
４a  球面軸受部
４b  摺動面
５  球面軸受パッキン
６  作動体
６a  方形頭部
６b  球面軸部
６c  突起部
６d  ストッパー部
６e  閉方向側側面
６f  開方向側側面
７  ボールプランジャー
７a  鋼球
８  シングルレバー
８a  操作レバー部
８b  カバー部
８c  方形凹部
８d  螺合装着部( 閉方向側)  
８e  下側側面( 閉方向側)  
８f  螺合装着部( 開方向側) 
８g  下側側面( 開方向側) 
９  可動弁体
９a  連結用凹部
９b  湯水調節切欠弁口
９c  閉方向側側面
９d  段差部
９e  当接部位
９f  半球状凹部
９g  円弧状切欠部
９h  湯水調節凹部弁口
１０  連結フランジ
１０a  フランジ部
１０b  方形筒状部
１１  固定弁体
１１a  水流入弁口
１１b  湯流入弁口
１１c  第三流入弁口
１１d  吐出弁口
１１e  第二吐出弁口
１１f  第二湯流入弁口
１２  水密連通パッキン
１２a  水流入口
１２b  湯流入口
１２c  第三流入口
１２d  第二吐出経路用吐出口
１２e  連通用凹部
１３  Ｏリング
１４  筒状アダプター
１４a  円弧状厚肉部
１４b  円弧状薄肉部
１４c  側面開口部
１５  連結ピン
１８  アジャストボルト  
１９  キャップ
１９a  円錐テーパー部
１９b  半球状凹部
２０  固定ネジ
２１  アジャストボルト( 上限吐出量設定用) 
２２  ボールプランジャー( 上限吐出量設定用) 
２２a  鋼球
２３  プランジャーホルダー
２４  Oリング
２６  リング状バネ線
２６a  リング状部
２６b  アーム部
２６c  可動端部
２７  回転軸
２８  ローラー
２９  水道水対応浄水装置
３０  水流入経路
３１  湯流入経路
３２  第三流入経路
３３  調節・交換用バルブ
３４  第一給水系統
３５  第一給湯系統
３６  第二給水系統
３７  吐出経路
３８  第二吐出経路
３９  浄水吐出経路
４０  第二湯流入経路
４１  中温対応浄水装置
H１  最右端の吐水用水平回動位置( 水のみ吐出位置) 
H２  均等混合用水平回動位置
H３  最左端の吐湯用水平回動位置
H４  モード切替の水平回動位置
HR１  水原水の浄水吐出用の水平回動位置
HR２  均等混合水原水の浄水吐出用の水平回動位置
HR３  混合水原水の浄水吐出用の水平回動位置
HR４  浄水吐出のモード切替の水平回動位置
【図１−１】
2015165165.tif 000003
【図１−２】
2015165165.tif 000004
【図１−３】
2015165165.tif 000005
【図２−１】
2015165165.tif 000006
【図２−２】
2015165165.tif 000007
【図３−１】
2015165165.tif 000008
【図３−２】
2015165165.tif 000009
【図４−１】
2015165165.tif 000010
【図４−２】
2015165165.tif 000011
【図５−１】
2015165165.tif 000012
【図５−２】
2015165165.tif 000013
【図６】
2015165165.tif 000014
【図７】
2015165165.tif 000015
【図８−１】
2015165165.tif 000016
【図８−２】
2015165165.tif 000017
【図９】
2015165165.tif 000018
【図１０−１】
2015165165.tif 000019
【図１０−２】
2015165165.tif 000020
【図１１−１】
2015165165.tif 000021
【図１１−２】
2015165165.tif 000022
【図１１−３】
2015165165.tif 000023
【図１２】
2015165165.tif 000024
【図１３−１】
2015165165.tif 000025
【図１３−２】
2015165165.tif 000026
【図１４】
2015165165.tif 000027
【図１５】
2015165165.tif 000028
【図１６−１】
2015165165.tif 000029
【図１６−２】
2015165165.tif 000030
【図１７−１】
2015165165.tif 000031
【図１７−２】
2015165165.tif 000032
【図１８】
2015165165.tif 000033
【図１９−１】
2015165165.tif 000034
【図１９−２】
2015165165.tif 000035
【図２０−１】
2015165165.tif 000036
【図２０−２】
2015165165.tif 000037